(57)【要約】【課題】栽培システムにおいて、栽培する植物の雑菌感染、連作障害等を予防でき、しかも、ランニングコスト、設備費用等を低減できること。【解決手段】栽培用容器１０ａ１〜１０ａ４が、植物１２Ｐａ１〜１２Ｐａ４をそれぞれ個別に収容し、分岐供給管２０Ｕ１〜２０Ｕ４、分岐排出管２０Ｄ１〜２０Ｄ４を介して分配供給路１４と排出路１６との間に接続されるもとで、栽培用容器１０ａ１〜１０ａ４内の養液ＬＱ´の水位ＬＨが所定の値に維持され、排出路１６からの廃液が廃液処理装置２２に処理された後、処理された養液が回収管２４を通じて栽培用容器１０ａ１〜１０ａ４に戻されるもの。【選択図】図１
2017029144.tif 000002
【特許請求の範囲】
【請求項１】
養液が貯留される養液貯留部と、
前記養液貯留部内の養液が供給される分配供給路と、
前記分配供給路からの養液が分岐供給管を介してそれぞれ、個別に供給され、栽培される植物をそれぞれ、個別に収容する複数の栽培用容器と、
前記複数の栽培用容器からそれぞれ排出された養液が、分岐排出管を介して合流される排出路と、
を具備して構成される栽培システム。
【請求項２】
前記栽培用容器は、前記植物の成長に応じて該栽培用容器内の前記養液の水位を調節する水位調節手段を備えることを特徴とする請求項１記載の栽培システム。
【請求項３】
前記栽培用容器の胴は、伸縮可能な構造を有することを特徴とする請求項２記載の栽培システム。
【請求項４】
前記栽培用容器は、前記植物の地上成長部と地下成長部との間の茎部分を保持するとともに、該栽培用容器内を密閉する栓部材を一体に有する請求項２または請求項３記載の栽培システム。
【請求項５】
前記栽培用容器は、透明または半透明材料で袋状、または、筒状に成形されることを特徴とする請求項２または請求項３記載の栽培システム。
【請求項６】
前記分配供給路の一端から前記養液貯留部内の養液が導入されるとともに、該分配供給路の他端から排出された該養液が該一端に戻されることを特徴とする請求項１記載の栽培システム。
【請求項７】
前記排出路から排出された廃液が、廃液に含まれる異物を除去するとともに除菌を処理する廃液処理装置に供給されることを特徴とする請求項１記載の栽培システム。
【請求項８】
空気または酸素を、前記養液貯留部内からの養液に強制的に混合する酸素混合装置を備えることを特徴とする請求項１記載の栽培システム。
【請求項９】
空気または酸素を、前記廃液処理装置により処理された養液に強制的に混合する酸素混合装置を備え、該酸素混合装置から排出された養液が、回収管を通じて前記複数の栽培用容器内にそれぞれ戻されることを特徴とする請求項７記載の栽培システム。
【請求項１０】
養液が貯留される養液貯留部と、
前記養液貯留部内の養液が供給される分配供給路と、
前記分配供給路からの養液が分岐供給管を介してそれぞれ、個別に供給され、栽培される植物をそれぞれ、個別に収容する複数の栽培用容器と、
前記複数の栽培用容器からそれぞれ排出された養液が、分岐排出管を介して合流される排出路と、
前記分配供給路内の養液の溶存酸素濃度を検出する第１の溶存酸素検出器と、
前記複数の栽培用容器からそれぞれ排出された溶液が、分岐排出管を介して合流された排出路の最終端を通過する廃液の溶存酸素濃度を検出する第２の合算溶存酸素濃度検出器と、
前記第１の溶存酸素検出器からの検出出力および前記第２の合算溶存酸素濃度検出器からの検出出力に基づいて前記養液の溶存酸素濃度と前記廃液の合算溶存酸素濃度との差分を演算するとともに、該差分に基づいて前記全栽培用容器により栽培される植物の酸素消費状態を判断する制御部と、
を具備して構成される栽培システム。
【請求項１１】
養液が貯留される養液貯留部と、
前記養液貯留部内の養液が供給される分配供給路と、
前記分配供給路からの養液が分岐供給管を介してそれぞれ、個別に供給され、栽培される植物をそれぞれ、個別に収容する複数の栽培用容器と、
前記複数の栽培用容器からそれぞれ排出された養液が、分岐排出管を介して合流される排出路と、
前記分配供給路内の養液の溶存酸素濃度を検出する第１の溶存酸素検出器と、
前記複数の栽培用容器にそれぞれ接続される分岐排出管を通過する廃液の溶存酸素濃度を検出する第２の溶存酸素濃度検出器と、
前記第１の溶存酸素検出器からの検出出力および前記第２の溶存酸素濃度検出器からの検出出力に基づいて前記養液の溶存酸素濃度と前記廃液の溶存酸素濃度との差分を演算するとともに、該差分に基づいて前記栽培用容器により栽培される植物の酸素消費状態を判断する制御部と、
を具備して構成される栽培システム。
【請求項１２】
透明または半透明フィルムで袋状に作られ、個別に収容される植物のための養液を貯留する貯留部を内側に有する本体部と、
前記本体部の上部に設けられ、前記植物の地上成長部と地下成長部との間の茎部分を保持するとともに該本体内を密閉する栓部材と、を備え、
前記本体部が、前記植物の地下成長部の成長に応じて伸縮可能な構造を有するともに、内径が同一、または、お互いに異なる継手が、前記本体部の上部および下部にそれぞれ、設けられることを特徴とする栽培用容器。
【請求項１３】
前記栽培用容器は、外郭部と、該外郭部内に移動可能に配され前記分岐供給管を介して供給された養液を所定量、貯留させる養液貯留手段と、栽培される前記植物の成長に応じて前記植物の根が前記養液貯留手段における養液に浸るように該養液貯留手段を該外郭部において適切な位置に留める固定具とを備えることを特徴とする請求項１記載の栽培システム。
【請求項１４】
前記植物の成長に応じて前記養液の水位を調節する水位調節手段が、前記養液貯留手段および栽培される前記植物のうちの少なくとも一方を移動可能に支持する移動テーブルを含んでなることを特徴とする請求項１３記載の栽培システム。
【請求項１５】
透明または半透明フィルムで筒状に作られる保湿用カバー部材と、
前記保湿用カバー部材の上部に設けられ、植物の地上成長部と地下成長部との間の茎部分を保持するとともに該保湿用カバー部材の上部を覆う栓部材と、
前記保湿用カバー部材の内側に前記植物の地下成長部の成長に応じて移動可能に配され個別に収容される植物のための養液を貯留する養液貯留部と、
前記養液貯留部を前記保湿用カバー部材に対し取り外し可能に固定する固定具と、を備え、
内径が同一、または、お互いに異なる継手が、前記栓部材および前記養液貯留部にそれぞれ、設けられることを特徴とする栽培用容器。
【発明の詳細な説明】
【技術分野】
【０００１】
本発明は、栽培用容器、および、それを備える栽培システムに関する。
【背景技術】
【０００２】
根菜類の水耕栽培においては、例えば、特許文献１にも示されるように、津田カブのような植物の根の先端部分をプラスチックコンテナ内の培養液に浸しつつ、根の先端以外の部分を培養液に浸さずに培養される栽培方法が提案されている。このような場合、上述の複数のカブ苗は、培養液に浮かぶ発泡スチロール板に支持されている。その培養液は、２週間ごとに全量交換される。このような構成より、植物の根の先端部分を培養液に浸しつつ、根の先端以外の部分を培養液に浸さずに栽培することによって、根部が肥大し、通常の土壌栽培と同等の根菜類も栽培ができることとなる。
【０００３】
ゴボウの水耕栽培においては、例えば、特許文献２にも示されるように、遮蔽板３により仕切られた二つの部屋に培養液が満たされた栽培ベッドを利用するものが提案されている。栽培ベッドは、光を通さない材料でタンク状に形成され、作物支持板に支持される複数のゴボウを二つの部屋に有している。また、二つの部屋には、それぞれ、一方の部屋内の培養液を他方の部屋内に移送する水中ポンプが配されている。水中ポンプにより各部屋内の培養液が交互に入れ換えることにより、各部屋内の培養液の液面が、上下動される。これにより、根部は、直根が形成しやすく太くなり、分岐根も少なく、良質のゴボウが生産されることとなる。
【０００４】
また、養液栽培システムにおいては、例えば、特許文献３にも示されるように、根菜類の根部の収穫部位を肥大させるべく、養液を貯留する栽培槽と、上端開口部に植物体を設置する複数の筒状部と、栽培槽内の養液の水位を変動させる水位変動手段とを備えるものが提案されている。複数の筒状部は、植物体の根部が筒状部内を伸長するように栽培槽内に略鉛直方向に形成されている。これにより、根物作物の根部が曲がったり二股に分かれたりすることが防止され、直根の収穫物が得られる。上述の水位変動手段は、養液を栽培槽内に供給する養液供給手段と、養液を栽培槽の外に排出する養液排出手段とから構成されている。水位変動手段は、栽培槽内の養液の水位を変動させ、間欠的に根部に乾燥ストレスを与えることにより、細根の発生を抑制し、主根などの収穫部位を十分に肥大させるものとされる。
【０００５】
さらに、水耕栽培装置においては、例えば、特許文献４における図５、図７乃至図９にも示されるように、均一な大きさおよび形状を有する根菜類を栽培すべく、複数の栽培筒を有する栽培トレイは、培養水が満たされた水槽に配置されるものが提案されている。栽培する各植物の根元部を支持する各栽培筒は、上下方向に沿って伸縮可能に設けられた外筒、中筒、および、内筒からなるテレスコピック構造を有している。
【０００６】
そして、水耕栽培方法において、例えば、特許文献５にも示されるように、適切量の液体を植物体に供給すべく、液体を植物体の主根のうちの所望の部位にのみ供給する噴霧部を水槽の内壁に備えるものが提案されている。このように主根表面の乾燥を防ぐために液体が噴霧されるので培養液の液面の上下動が不要となる。
【先行技術文献】
【特許文献】
【０００７】
【特許文献１】特許第４１４３７２１号公報
【特許文献２】特許第３３４３５８０号公報
【特許文献３】特許第５６１１７７７号公報
【特許文献４】特開２０１４−１８１１０号公報
【特許文献５】特許第５６２８９４５号公報
【発明の概要】
【発明が解決しようとする課題】
【０００８】
（１）特許文献１乃至特許文献４に示されるような、栽培される複数の植物が、一つの槽内の養液に一緒に浸される場合、雑菌感染の予防措置、養液の交換のための大量の水処理が必要とされる。特に、根菜類を水耕栽培により量産する場合、栽培システムにおいて、ランニングコストが嵩むことなく、栽培する根菜類の連作障害（自家中毒）の問題を解決する手段が要望される。
【０００９】
（２）また、特許文献２乃至特許文献４に示されるような、大きな栽培ベッド（栽培槽）、栽培トレイ、水位変動手段等が必要とされるので栽培システムにおける設備費用が嵩むこととなる。
【００１０】
（３）さらに、栽培槽が再利用される場合、多量の洗浄水が必要とされるとともに、槽の洗浄のための作業が負担となる。
【００１１】
以上の問題点を考慮し、本発明は、栽培用容器、および、それを備える栽培システムであって、栽培する植物の雑菌感染、連作障害等を予防でき、しかも、ランニングコスト、設備費用等を低減できる栽培用容器、および、それを備える栽培システムを提供することを目的とする。
【課題を解決するための手段】
【００１２】
上述の目的を達成するために、本発明に係る栽培システムは、養液が貯留される養液貯留部と、養液貯留部内の養液が供給される分配供給路と、分配供給路からの養液が分岐供給管を介してそれぞれ、個別に供給され、栽培される植物をそれぞれ、個別に収容する複数の栽培用容器と、複数の栽培用容器からそれぞれ排出された養液が、分岐排出管を介して合流される排出路と、を備えて構成される。
【００１３】
栽培用容器は、前記植物の成長に応じて栽培用容器内の前記養液の水位を調節する水位調節手段を備えてもよい。栽培用容器の胴は、伸縮可能な構造を有するものでもよい。
栽培用容器は、植物の地上成長部と地下成長部との間の茎部分を保持するとともに、栽培用容器内を密閉する栓部材を一体に有するものでもよい。栽培用容器は、透明または半透明材料で袋状または、筒状に成形されてもよい。また、分配供給路の一端から養液貯留部内の養液が導入されるとともに、分配供給路の他端から排出された養液が該一端に戻されるように構成されてもよい。排出路から排出された廃液が、廃液に含まれる異物を除去するとともに除菌を処理する廃液処理装置に供給されてもよい。空気または酸素を、前記養液貯留部内からの養液に強制的に混合する酸素混合装置を備えるものでもよい。空気または酸素を、廃液処理装置により処理された養液に強制的に混合する酸素混合装置を備え、酸素混合装置から排出された養液が、回収管を通じて複数の栽培用容器内にそれぞれ戻されてもよい。
【００１４】
また、本発明に係る栽培システムは、養液が貯留される養液貯留部と、養液貯留部内の養液が供給される分配供給路と、分配供給路からの養液が分岐供給管を介してそれぞれ、個別に供給され、栽培される植物をそれぞれ、個別に収容する複数の栽培用容器と、複数の栽培用容器からそれぞれ排出された養液が、分岐排出管を介して合流される排出路と、分配供給路内の養液の溶存酸素濃度を検出する第１の溶存酸素検出器と、複数の栽培用容器からそれぞれ排出された溶液が、分岐排出管を介して合流された排出路の最終端を通過する廃液の溶存酸素濃度を検出する第２の合算溶存酸素濃度検出器と、第１の溶存酸素検出器からの検出出力および第２の合算溶存酸素濃度検出器からの検出出力に基づいて養液の溶存酸素濃度と廃液の合算溶存酸素濃度との差分を演算するとともに、差分に基づいて全栽培用容器により栽培される植物の酸素消費状態を判断する制御部と、を備えて構成される。
【００１５】
本発明に係る栽培システムは、養液が貯留される養液貯留部と、養液貯留部内の養液が供給される分配供給路と、分配供給路からの養液が分岐供給管を介してそれぞれ、個別に供給され、栽培される植物をそれぞれ、個別に収容する複数の栽培用容器と、複数の栽培用容器からそれぞれ排出された養液が、分岐排出管を介して合流される排出路と、分配供給路内の養液の溶存酸素濃度を検出する第１の溶存酸素検出器と、複数の栽培用容器にそれぞれ接続される分岐排出管を通過する廃液の溶存酸素濃度を検出する第２の溶存酸素濃度検出器と、第１の溶存酸素検出器からの検出出力および第２の溶存酸素濃度検出器からの検出出力に基づいて養液の溶存酸素濃度と廃液の溶存酸素濃度との差分を演算するとともに、差分に基づいて前記栽培用容器により栽培される植物の酸素消費状態を判断する制御部と、を備えて構成される。
【００１６】
本発明に係る栽培用容器は、透明または半透明フィルムで袋状に作られ、個別に収容される植物のための養液を貯留する貯留部を内側に有する本体部と、本体部の上部に設けられ、植物の地上成長部と地下成長部との間の茎部分を保持するとともに本体内を密閉する栓部材と、を備え、本体部が、植物の地下成長部の成長に応じて伸縮可能な構造を有するともに、内径が同一、または、お互いに異なる継手が、本体部の上部および下部にそれぞれ、設けられることを特徴とする。
【００１７】
また、栽培用容器は、外郭部と、外郭部内に移動可能に配され分岐供給管を介して供給された養液を所定量、貯留させる養液貯留手段と、栽培される植物の成長に応じて植物の根が養液貯留手段における養液に浸るように養液貯留手段を外郭部において適切な位置に留める固定具とを備えて構成されてもよい。植物の成長に応じて養液の水位を調節する水位調節手段が、養液貯留手段および栽培される植物のうちの少なくとも一方を移動可能に支持する移動テーブルを含むものであってもよい。
【００１８】
さらにまた、本発明に係る栽培用容器は、透明または半透明フィルムで筒状に作られる保湿用カバー部材と、保湿用カバー部材の上部に設けられ、植物の地上成長部と地下成長部との間の茎部分を保持するとともに保湿用カバー部材の上部を覆う栓部材と、保湿用カバー部材の内側に植物の地下成長部の成長に応じて移動可能に配され個別に収容される植物のための養液を貯留する養液貯留部と、養液貯留部を保湿用カバー部材に対し取り外し可能に固定する固定具とを備え、内径が同一、または、お互いに異なる継手が、栓部材および養液貯留部にそれぞれ、設けられることを特徴とする。
【発明の効果】
【００１９】
本発明に係る栽培用容器、および、それを備える栽培システムによれば、養液貯留部内の養液が供給される分配供給路と、分配供給路からの養液が分岐供給管を介してそれぞれ、個別に供給され、栽培される植物をそれぞれ、個別に収容する複数の栽培用容器と、複数の栽培用容器からそれぞれ排出された養液が、分岐排出管を介して合流される排出路と、を備えるので栽培する植物の雑菌感染、連作障害等を予防でき、しかも、ランニングコスト、設備費用等を低減できる。
【図面の簡単な説明】
【００２０】
【図１】本発明に係る栽培システムの第１実施例の全体構成を概略的に示す図である。
【図２】（Ａ）は、本発明に係る栽培システムの第２実施例の要部を示す図であり、（Ｂ）は、本発明に係る栽培システムの第３実施例の要部を示す図であり、（Ｃ）は、本発明に係る栽培システムの第４実施例の要部を示す図である。
【図３】（Ａ）、（Ｂ）、（Ｃ）、および、（Ｄ）は、それぞれ、本発明に係る栽培システムの各実施例に用いられる本発明に係る栽培用容器の一例を概略的に示す図である。
【図４】（Ａ）は、本発明に係る栽培用容器の一例に用いられる植物固定用ストッパを示す部分断面図であり、（Ｂ）は、植物固定用ストッパに用いられるシール部材を示す平面図であり、（Ｃ）は、積み重ねられた複数のシール部材の正面図である。
【図５】本発明に係る栽培システムの第４実施例に、保温壁が設けられた状態を概略的に示す図である。
【図６】本発明に係る栽培システムの第５実施例の全体構成を概略的に示す図である。
【図７】溶存酸素濃度と健康指数との関係の説明に供される図である。
【図８】図６に示される例における制御ユニットが、マイクロコンピュータにより構成された場合、そのマイクロコンピュータが実行するプログラムをあらわすフローチャートである。
【図９】図６に示される例における制御ユニットが、マイクロコンピュータにより構成された場合、そのマイクロコンピュータが実行するプログラムをあらわすフローチャートである。
【図１０】本発明に係る栽培用容器の一例を備える栽培システムの第６実施例の要部を示す図である。
【図１１】（Ａ）は、図１０に示される例に用いられる栽培用容器の一例の構成を示す断面図であり、（Ｂ）は、栽培用容器に用いられる固定具の一例を示す斜視図である。
【図１２】本発明に係る栽培用容器の一例を備える栽培システムの第７実施例の要部を示す図である。
【図１３】図１２に示される例に用いられる栽培用容器の一例の構成を示す斜視図である。
【図１４】本発明に係る栽培用容器の一例を備える栽培システムの第８実施例の要部を示す図である。
【図１５】図１４に示される例に用いられる栽培用容器の一例の構成を示す斜視図である。
【図１６】（Ａ）は、本発明に係る栽培用容器の一例を備える栽培システムの第９実施例の要部を示す図であり、（Ｂ）は、本発明に係る栽培用容器の一例を備える栽培システムの第１０実施例の要部を示す図である。
【発明を実施するための形態】
【００２１】
図１は、本発明に係る栽培用容器の一例を備える栽培システムの第１実施例の構成を概略的に示す。
【００２２】
栽培システムは、例えば、所謂、太陽光型植物工場または人工光閉鎖型植物工場内に設けられている。
【００２３】
栽培システムは、所定の濃度に調整された液体肥料としての培養液（以下、養液ともいう）を貯留するサブ混合タンク３４と、サブ混合タンク３４からの養液に酸素混合装置３２により空気または酸素等を強制的に溶け込ませたものを貯留するメイン混合タンク２６と、メイン混合タンク２６内に配され、メイン混合タンク２６内の養液を後述する分配供給路１４に供給するポンプ３０と、メイン混合タンク２６内の養液を各栽培用容器１０ａ１、１０ａ２、１０ａ３、１０ａ４…１０ａｎに供給する分配供給路１４と、各栽培用容器１０ａ１、１０ａ２、１０ａ３、１０ａ４…１０ａｎからの廃液を回収し廃液処理装置２２に供給する排出路１６と、分配供給路１４からの養液を貯留するとともに、同一種類の所定の株数の植物１２Ｐａ１、１２Ｐａ２、１２Ｐａ３、１２Ｐａ４…１２Ｐａｎを個別に生育させる複数の栽培用容器１０ａ１、１０ａ２、１０ａ３、１０ａ４…１０ａｎと、排出路１６からの廃液を再利用可能とするように廃液（使用済み養液）に含まれる不純物を除去する廃液処理装置２２と、を主な要素として含んで構成される。
【００２４】
斯かる栽培システムにおいて栽培される植物１２Ｐａ１〜１２Ｐａ４…１２Ｐａｎは、例えば、所定の株数のレタス等の葉菜類とされる。なお、図１においては、代表的に、複数の植物および栽培用容器のうちの植物１２Ｐａ１〜１２Ｐａ４および栽培用容器１０ａ１、１０ａ２、１０ａ３、１０ａ４が示されている。
【００２５】
サブ混合タンク３４は、用水供給源３８および養液が貯留される養液タンク３６に接続されている。これにより、サブ混合タンク３４内に貯留される養液の濃度は、予め、栽培する植物１２Ｐａ１〜１２Ｐａ４に適切な所定の濃度に調整されている。
【００２６】
酸素混合装置３２は、植物１２Ｐａ１〜１２Ｐａ４の根腐れを回避すべく、例えば、混合タンク３４からの養液に対し強制的に加圧空気を加え、あるいは、酸素ボンベからの所定圧力の酸素を溶け込ませるものとされる。また、後述する配管Ｄｕ１、分配供給路１４および配管Ｄｕ２を通じて循環される養液も、酸素混合装置３２を介してメイン混合タンク２６内に戻される。
【００２７】
養液貯留部としてのメイン混合タンク２６内には、酸素混合装置３２からの養液ＬＱが、所定の水位で貯留されている。また、メイン混合タンク２６内には、配管Ｄｕ１の一端に接続されるポンプ３０が設けられている。ポンプ３０は、図示が省略される制御部により駆動制御される。これにより、ポンプ３０が作動状態とされる場合、メイン混合タンク２６内の養液ＬＱが配管Ｄｕ１を通じて分配供給路１４に供給される。
【００２８】
配管Ｄｕ１の他端に接続される分配供給路１４には、図１における矢印が示す養液の供給方向に沿って所定の間隔をもって流量制御弁１８ＵＶ１、１８ＵＶ２、１８ＵＶ３、および、１８ＵＶ４が設けられている。流量制御弁１８ＵＶ１、１８ＵＶ２、１８ＵＶ３、および、１８ＵＶ４は、それぞれ、栽培用容器１０ａ１、１０ａ２、１０ａ３、１０ａ４に対応して設けられている。
【００２９】
流量制御弁１８ＵＶ１、１８ＵＶ２、１８ＵＶ３、および、１８ＵＶ４には、それぞれ、後述する栽培用容器１０ａ１〜１０ａ４の分岐供給管２０Ｕ１、２０Ｕ２、２０Ｕ３、および、２０U４の一端が着脱可能に接続されている。流量制御弁１８ＵＶ１、１８ＵＶ２、１８ＵＶ３、および、１８ＵＶ４は、例えば、養液の流量が所定の値となるように手動により設定されている。
【００３０】
分配供給路１４の下流側の端部には、配管Ｄｕ２を介して上述の酸素混合装置３２が接続されている。
【００３１】
栽培用容器１０ａ１〜１０ａ４は、互いに同一の構造を有しているので栽培用容器１０ａ１について説明し、他の栽培用容器の説明を省略する。
【００３２】
栽培用容器１０ａ１は、所定の厚さの透明または半透明フィルム、例えば、ＧＬフィルム（凸版印刷株式会社製）のような透明バリアフィルムで袋状に作られている。栽培用容器１０ａ１は、分岐供給管２０Ｕ１の下端が上部に接続され、分岐排出管２０Ｄ１の上端が下部に接続されている。分岐供給管２０Ｕ１および分岐排出管２０Ｄ１の内径は、略同一に設定されている。栽培用容器１０ａ１の上部には、栽培システムの筐体に固定されるフック部１０Ｆａおよび１０Ｆｂが設けられている。
【００３３】
また、栽培用容器１０ａ１の上部における開口部には、図４（Ａ）に示されるように、植物１２Ｐａ１を栽培用容器１０ａ１に固定する植物固定用ストッパ２８が一体に形成されている。栓部材としての植物固定用ストッパ２８は、積み重ねられる複数のシール部材２８Ｂを収容するシール収容部を内側に有している。シール収容部は、略台形の縦断面形状を有し、植物固定用ストッパ２８の上部開口部２８ａおよび下部開口部２８ｂに連通している。各シール部材２８Ｂは、例えば、伸縮性のあるウレタン材料で環状に作られ、植物１２Ｐａ１の茎が貫通する孔２８ＢＨを有する。孔２８ＢＨの周縁は、図４（Ｂ）および（Ｃ）に示されるように、連続した複数個の円弧面で形成されている。なお、互いに重なるシール部材２８Ｂは、互いに複数個の円弧が円周方向に沿ってずれて配置されるように、積み重ねられる。これにより、植物１２Ｐａ１の茎は、各シール部材２８Ｂが複数個の円弧により形成される線で密着されることとなる。
【００３４】
栽培用容器１０ａ１内には、所定量の養液ＬＱ´が貯留されている。植物１２Ｐａ１の根は、養液ＬＱ´に浸されている。養液ＬＱ´内には、分岐排出管２０Ｄ１の一方の開口端が所定の長さだけ突出している。仮に、養液の水位が上昇した場合、養液が分岐排出管２０Ｄ１の一方の開口端を通じて排出されるので養液ＬＱ´の水位が、所定の長さに対応した所定の水位ＬＨに制御されることとなる。
【００３５】
分岐排出管２０Ｄ１の他方の開口端は、排出路１６に設けられる流量制御弁１８ＤＶ１に着脱可能に接続されている。
【００３６】
排出路１６には、図１における矢印が示す養液の排出方向に沿って所定の間隔をもって流量制御弁１８ＤＶ１、１８ＤＶ２、１８ＤＶ３、および、１８ＤＶ４が設けられている。流量制御弁１８ＤＶ１、１８ＤＶ２、１８ＤＶ３、および、１８ＤＶ４は、それぞれ、栽培用容器１０ａ１、１０ａ２、１０ａ３、１０ａ４に対応して設けられている。これにより、例えば、栽培用容器１０ａ１の植物１２Ｐａ１が収穫される場合、分岐排出管２０Ｄ１が流量制御弁１８ＤＶ１から取り外され、また、分岐供給管２０Ｕ１が流量制御弁１８ＵＶ１から取り外されることにより、栽培用容器１０ａ１が、植物１２Ｐａ１を伴って分配供給路１４および排出路１６相互間から個別に取り外されることとなる。そして、植物１２Ｐａ１が収穫された後、栽培用容器１０ａ１は廃棄されることとなる。栽培する植物品種によっては、コスト等を考慮して、栽培用容器１０a１を複数回使用した後に廃棄することも考えられる。従って、本発明に係る栽培システムの一例においては、栽培槽が再利用される場合に比べて、多量の洗浄水、槽の洗浄のための作業が不要、または、洗浄作業頻度が大幅に少なくなるものとされる。
【００３７】
栽培用容器１０ａ１〜１０ａ４から、それぞれ、排出された廃液（使用済み養液）は、分岐排出管２０Ｄ１〜２０Ｄ４を通じて排出路１６に合流される。排出路１６は、配管Ｄｕ３を介して廃液処理装置２２に接続されている。
【００３８】
廃液処理装置２２は、例えば、フィルター部２２ａと、成分抽出部２２ｂと、除菌処理部２２ｃと、酸素混合部２２ｄとを含んで構成されている。フィルター部２２ａは、廃液に含まれる異物、残渣、および他の浮遊物を除去するものとされる。成分抽出部２２ｂは、フィルター部２２ａからの濾過された養液内に含まれる自家中毒の要因となる毒素等を抽出するものとされる。除菌処理部２２ｃは、毒素等が抽出された養液に含まれるカビ、雑菌などの殺菌および除菌処理を行うものとされる。酸素混合部２２ｄは、除菌処理された養液に対し強制的に加圧空気を加え、あるいは、酸素ボンベからの所定圧力の酸素を溶け込ませるものとされる。
【００３９】
廃液処理装置２２は、配管Ｄｕ４を介して回収管２４に接続されている。これにより、廃液処理装置２２により処理され再利用可能とされる養液は、配管Ｄｕ４を通じて回収管２４に供給されることとなる。回収管２４は、上述した分岐供給管２０Ｕ１、２０Ｕ２、２０Ｕ３、および、２０Ｕ４に接続されている。従って、回収管２４に集められ、再利用可能とされる養液は、分岐供給管２０Ｕ１、２０Ｕ２、２０Ｕ３、および、２０Ｕ４を介して栽培用容器１０ａ１〜１０ａ４に新たに加えられ循環されることとなる。
【００４０】
斯かる構成において、植物１０ａ１〜１０ａ４を栽培用容器１０ａ１〜１０ａ４に植物固定用ストッパ２８により取り付けるにあたり、植物１０ａ１〜１０ａ４は、その根が養液に浸るように位置が調整される。その際、栽培用容器１０ａ１〜１０ａ４が透明容器なので目視により位置調整が容易となる。次に、植物１０ａ１〜１０ａ４がそれぞれ、取り付けられた栽培用容器１０ａ１〜１０ａ４が、分配供給路１４および排出路１６相互間に接続される。続いて、ポンプ３０が作動状態とされるとき、メイン混合タンク２６内の養液が配管Ｄｕ１、分配供給路１４を通じて栽培用容器１０ａ１〜１０ａ４内に供給される。その際、流量制御弁１８ＵＶ１、１８ＵＶ２、１８ＵＶ３、および、１８ＵＶ４、流量制御弁１８ＤＶ１、１８ＤＶ２、１８ＤＶ３、および、１８ＤＶ４は、栽培用容器１０ａ１〜１０ａ４内の養液の水位が水位ＬＨとなるように調整される。栽培用容器１０ａ１〜１０ａ４から排出され排出路１６に合流された廃液は、廃液処理装置２２により処理された後、その養液は、配管Ｄｕ４を通じて回収管２４に供給され、分岐供給管２０Ｕ１、２０Ｕ２、２０Ｕ３、および、２０Ｕ４を介して栽培用容器１０ａ１〜１０ａ４に新たに加えられ循環されることとなる。特に図に記載しないが、回収管２４に導かれた再処理養液は、複数回の循環使用後、水質の劣化を考慮して、適宜排出する処置を行う。栽培用容器１０ａ１〜１０ａ４内に一時的に貯留される養液は、その水位が維持されながら植物１０ａ１〜１０ａ４に十分な栄養と酸素を供給し続けることとなる。従って、植物１０ａ１〜１０ａ４は、個別に養液が貯留される栽培用容器１０ａ１〜１０ａ４に配されるので植物１０ａ１〜１０ａ４相互間の雑菌感染の予防措置をとる必要がなく、しかも、栽培用容器１０ａ１〜１０ａ４内の養液の交換のための大量の水処理が不要とされる。未使用養液と使用済み養液が、循環系で混合することがない。これにより、従来の様に、未使用溶液の混じった養液を交換時に処分されることがないので大幅な養液の節約になる。
【００４１】
さらに、従来の栽培システムのような、他の植物を経由した養液を使うことがないので、雑菌や異物の混入を防止できる。養液中の栄養成分についても予め設定させた構成条件の栄養分を各植物に供給することができる。また、根腐れの原因になる溶存酸素の濃度でも、他の植物に吸収されたものを流用することがないので雑菌感染等のトラブルを防止できる。植物自身が使った養液については、直接的に排水路１６へ放出されるので他の植物に使用されることはない。
【００４２】
図２（Ａ）は、本発明に係る栽培用容器の他の一例を備える栽培システムの第２実施例の要部を示す。なお、図２（Ａ）において、図１に示される例における構成要素と同一の構成要素について同一の符号を付して示し、その重複説明を省略する。
【００４３】
図２（Ａ）において、栽培システムは、図示が省略されるが、上述したサブ混合タンク３４と、酸素混合装置３２と、メイン混合タンク２６と、ポンプ３０と、廃液処理装置２２をさらに備えるものとされる。
【００４４】
栽培システムは、メイン混合タンク２６内の養液、および、配管Ｄｕ４からの処理された養液を各栽培用容器４０ａ１、４０ａ２、４０ａ３、４０ａ４…４０ａｎに供給する分配供給路１４と、各栽培用容器４０ａ１、４０ａ２、４０ａ３、４０ａ４…４０ａｎからの廃液を回収し廃液処理装置２２に供給する排出路１６と、分配供給路１４からの養液を貯留するとともに、同一種類の所定の株数の植物１３Ｐａ１、１３Ｐａ２、１３Ｐａ３、１３Ｐａ４…１３Ｐａｎを個別に生育させる複数の栽培用容器４０ａ１、４０ａ２、４０ａ３、４０ａ４…４０ａｎと、を主な要素として含んで構成される。栽培容器内の水位は、供給側と排出側の流量制御弁を調整して水量差を作ることにより一時保持できる水量を確保できる。
【００４５】
斯かる栽培システムにおいて栽培される植物１３Ｐａ１〜１３Ｐａ４…は、例えば、所定の株数のにんじん、朝鮮人参、だいこん等の根菜類とされる。なお、図２（Ａ）においては、代表的に、複数の植物および栽培用容器のうちの植物１３Ｐａ１〜１３Ｐａ４および栽培用容器４０ａ１、４０ａ２、４０ａ３、４０ａ４が示されている。
【００４６】
栽培用容器４０ａ１〜４０ａ４は、互いに同一の構造を有しているので栽培用容器４０ａ１について説明し、他の栽培用容器の説明を省略する。
【００４７】
栽培用容器４０ａ１は、図２（Ａ）および図３（Ｄ）に示されるように、所定の厚さの透明または半透明フィルム、例えば、ＧＬフィルム（凸版印刷株式会社製）のような透明バリアフィルムで袋状に作られている。栽培用容器４０ａ１は、分岐供給管４２Ｕ１の下端が上部に接続され、分岐排出管４２Ｄ１の上端が下部に接続されている。分岐供給管４２Ｕ１および分岐排出管４２Ｄ１の内径は、略同一に設定されている。栽培用容器４０ａ１の上部には、栽培システムの筐体に固定されるフック部４０Ｆａおよび４０Ｆｂが設けられている。
【００４８】
また、栽培用容器４０ａ１の上部における開口部には、図４（Ａ）に示されるように、植物１３Ｐａ１を栽培用容器４０ａ１に固定する植物固定用ストッパ２８が一体に形成されている。植物固定用ストッパ２８の隣接した位置には、分岐供給管４２Ｕ１に着脱可能に接続される継手４０Ｊａが設けられている。栽培用容器４０ａ１の下部には、分岐排出管４２Ｄ１に着脱可能に接続される継手４０Ｊｂが設けられている。継手４０Ｊｂの内径は、継手４０Ｊａの内径に比して小、または、同一に設定されている。
【００４９】
栽培用容器４０ａ１の胴の一部の全周には、植物１３Ｐａ１〜１３Ｐａ４の成長に応じた水位調節手段としての伸縮可能な蛇腹部が形成されている。これにより、植物１３Ｐａ１〜１３Ｐａ４の成長に応じて栽培用容器４０ａ１の下部を下方に向けて引き下げることにより、所定量の養液ＬＱ´が栽培用容器４０ａ１内に貯留されることとなる。栽培用容器４０ａ１〜４０ａ４における養液ＬＱ´の水面よりも上方には、空気層ＡＨ１，ＡＨ２，ＡＨ３，ＡＨ４が、形成されることとなる。図２（Ａ）において、栽培用容器４０ａ２〜４０ａ４は、それぞれ、下方に向けて引き下げられた状態を示す。なお、水位調節手段は、伸縮可能な蛇腹部に限られることなく、栽培用容器４０ａ１の胴の一部が、例えば、入れ子式構造に形成されていてもよい。
【００５０】
栽培用容器４０ａ１の下部を下方に向けて引き下げる場合、分岐排出管４２Ｄ１〜４２Ｄ４の長さが、短くなるように調整される。即ち、分岐排出管４２Ｄ１〜４２Ｄ４の長さが、植物１３Ｐａ１〜１３Ｐａ４の成長に応じて短くなるように、例えば、柔軟性のあるホース（分岐排出管）がとぐろ巻き状態になり栽培用容器のスペースを確保できる。その際、養液ＬＱ´の水位を植物１３Ｐａ１〜１３Ｐａ４の根の先端部近傍に一致させるように、目視で水位が調整可能とされる。
【００５１】
従って、植物は成長していくにつれ根部の先端部は下方に伸びていくので栽培用容器（袋）を引き伸ばすことにより、養液の水深が維持されながら、水位の位置だけを根の成長に合わせて移動させることができる。これを、植物の成長を観察しながら調整することにより、根菜類の根の肥大をさせながら生育をさせることが可能となる。各栽培用容器（袋）毎に成長にバラツキがあっても、植物の成長度に応じたケアが可能である。また、養液の循環、供給、植物の栽培に於いて、ある程度の密閉性を保持しているため特に感染ルートとなる地下系の根、養液は、植物間で遮断されている。これにより、隣の植物が病気に感染しても伝染し難い環境になっている。
【００５２】
図２（Ｂ）は、本発明に係る栽培用容器の他の一例を備える栽培システムの第３実施例の要部を示す。なお、図２（Ｂ）において、図１に示される例における構成要素と同一の構成要素について同一の符号を付して示し、その重複説明を省略する。
【００５３】
図２（Ｂ）において、栽培システムは、図示が省略されるが、上述したサブ混合タンク３４と、酸素混合装置３２と、メイン混合タンク２６と、ポンプ３０と、廃液処理装置２２をさらに備えるものとされる。
【００５４】
栽培システムは、メイン混合タンク２６内の養液、および、配管Ｄｕ４からの処理された養液を各栽培用容器５０ａ１、５０ａ２、５０ａ３、５０ａ４…５０ａｎに供給する分配供給路１４と、各栽培用容器５０ａ１、５０ａ２、５０ａ３、５０ａ４…５０ａｎからの廃液を回収し廃液処理装置２２に供給する排出路１６と、分配供給路１４からの養液を貯留するとともに、同一種類の所定の株数の植物１３Ｐａ１、１３Ｐａ２、１３Ｐａ３、１３Ｐａ４…１３Ｐａｎを個別に生育させる複数の栽培用容器５０ａ１、５０ａ２、５０ａ３、５０ａ４…５０ａｎと、を主な要素として含んで構成される。
【００５５】
栽培用容器５０ａ１は、図２（Ｂ）に示されるように、所定の厚さの透明または半透明フィルム、例えば、ＧＬフィルム（凸版印刷株式会社製）のような透明バリアフィルムで袋状に作られている。栽培用容器５０ａ１は、分岐供給管５２Ｕ１の下端が上部に接続され、分岐排出管５２Ｄ１の上端が下部に接続されている。分岐供給管５２Ｕ１および分岐排出管５２Ｄ１の内径は、略同一に設定されている。栽培用容器５０ａ１の上部には、栽培システムの筐体に固定されるフック部（不図示）が設けられている。なお、分岐排出管５２Ｄ１は、例えば、フレキシブルホースで形成されてもよい。
【００５６】
また、栽培用容器５０ａ１の上部における開口部には、植物１３Ｐａ１を栽培用容器５０ａ１に固定する植物固定用ストッパ２８が嵌合されている。
【００５７】
栽培用容器５０ａ１の胴の一部の全周には、伸縮可能な蛇腹部が形成されている。これにより、植物１３Ｐａ１〜１３Ｐａ４の成長に応じて栽培用容器５０ａ１の下部を下方に向けて引き下げることにより、所定量の養液ＬＱ´が栽培用容器５０ａ１内に貯留されることとなる。栽培用容器５０ａ１〜５０ａ４における養液ＬＱ´の水面よりも上方には、空気層ＡＨ１，ＡＨ２，ＡＨ３，ＡＨ４が、形成されることとなる。図２（Ｂ）において、栽培用容器５０ａ２〜５０ａ４は、それぞれ、下方に向けて引き下げられた状態を示す。なお、栽培用容器５０ａ１の胴は、伸縮可能な蛇腹部に限られることなく、栽培用容器５０ａ１の胴の一部が、例えば、入れ子式に形成されていてもよい。
【００５８】
栽培用容器５０ａ１内には、所定量の養液ＬＱ´が貯留されている。植物１３Ｐａ１の根は、養液ＬＱ´に浸されている。養液ＬＱ´内には、分岐排出管５２Ｄ１の一方の開口端が所定の長さだけ突出している。仮に、養液の水位が上昇した場合、養液が分岐排出管５２Ｄ１の一方の開口端を通じて排出されるので養液ＬＱ´の水位が、所定の長さに対応した所定の水位に制御されることとなる。
【００５９】
栽培用容器５０ａ１の下部を下方に向けて引き下げる場合、分岐排出管５２Ｄ１〜５２Ｄ４の長さが、短くなるように調整される。即ち、分岐排出管５２Ｄ１〜５２Ｄ４の長さが、例えば、植物１３Ｐａ１〜１３Ｐａ４の成長に応じて短くなるように、例えば、柔軟性のあるホース（分岐排出管）がとぐろ巻き状態になり栽培用容器のスペースを確保できる。その際、養液ＬＱ´の水位を植物１３Ｐａ１〜１３Ｐａ４の根の先端部近傍に一致させるように、目視で水位が調整可能とされる。
【００６０】
図２（Ｃ）は、本発明に係る栽培用容器の他の一例を備える栽培システムの第４実施例の要部を示す。なお、図２（Ｃ）において、図１に示される例における構成要素と同一の構成要素について同一の符号を付して示し、その重複説明を省略する。
【００６１】
図２（Ｃ）において、栽培システムは、図示が省略されるが、上述したサブ混合タンク３４と、酸素混合装置３２と、メイン混合タンク２６と、ポンプ３０と、廃液処理装置２２をさらに備えるものとされる。
【００６２】
栽培システムは、メイン混合タンク２６内の養液、および、配管Ｄｕ４からの処理された養液を各栽培用容器６０ａ１、６０ａ２、６０ａ３、６０ａ４…６０ａｎに供給する分配供給路１４と、各栽培用容器６０ａ１、６０ａ２、６０ａ３、６０ａ４…６０ａｎからの廃液を回収し廃液処理装置２２に供給する排出路１６と、分配供給路１４からの養液を貯留するとともに、同一種類の所定の株数の植物１３Ｐａ１、１３Ｐａ２、１３Ｐａ３、１３Ｐａ４…１３Ｐａｎを個別に生育させる複数の栽培用容器６０ａ１、６０ａ２、６０ａ３、６０ａ４…６０ａｎと、を主な要素として含んで構成される。
【００６３】
栽培用容器６０ａ１は、図２（Ｃ）および図３（Ｃ）に示されるように、所定の厚さの透明または半透明フィルム、例えば、ＧＬフィルム（凸版印刷株式会社製）のような透明バリアフィルムで袋状に作られている。栽培用容器６０ａ１は、分岐供給管６２Ｕ１の下端が上部に接続され、分岐排出管６２Ｄ１の上端が下部に接続されている。分岐供給管６２Ｕ１および分岐排出管６２Ｄ１の内径は、略同一に設定されている。栽培用容器６０ａ１の上部には、栽培システムの筐体に固定されるフック部６０Ｆａおよび６０Ｆｂが設けられている。
【００６４】
また、栽培用容器６０ａ１の上部における開口部には、植物１３Ｐａ１を栽培用容器６０ａ１に固定する植物固定用ストッパ２８が嵌合されている。
【００６５】
栽培用容器６０ａ１内には、所定量の養液ＬＱ´が貯留されている。植物１３Ｐａ１の根は、養液ＬＱ´に浸されている。養液ＬＱ´内には、図３（Ｃ）に示されるように、分岐排出管６２Ｄ１の一方の開口端に対し固定される水位調整用管６１が所定の長さだけ突出している。水位調整用管６１は、当初、栽培用容器６０ａ１の底部が内側に折り込まれた状態で養液ＬＱ´内に所定の長さだけ突出している。植物１３Ｐａ１の成長に応じて栽培用容器６０ａ１における養液ＬＱ´の水位を下げる場合、栽培用容器６０ａ１の底部が外側に向けて徐々に引き出されることにより、水位調整用管６１の一方の開口端が下方に向けて徐々に下がるので養液ＬＱ´の水位が低下することとなる。
【００６６】
また、仮に、養液ＬＱ´の水位が上昇した場合、養液が水位調整用管６１の一方の開口端を通じて排出されるので養液ＬＱ´の水位が、所定の突出長さに対応した所定の水位に制御されることとなる。
【００６７】
なお、本発明に係る栽培用容器の一例においては、斯かる例に限られることなく、例えば、図３（Ａ）に示されるように、構成されてもよい。図３（Ａ）において、栽培用容器７０ａ１は、所定の厚さの透明または半透明フィルム、例えば、ＧＬフィルム（凸版印刷株式会社製）のような透明バリアフィルムで袋状に作られている。栽培用容器７０ａ１は、分岐供給管の下端が上部に接続され、分岐排出管の上端が下部に接続されている。栽培用容器７０ａ１の上部には、栽培システムの筐体に固定されるフック部７０Ｆａおよび７０Ｆｂが設けられている。
【００６８】
また、栽培用容器７０ａ１の上部における開口部には、上述したような植物１３Ｐａ１を栽培用容器７０ａ１に固定する植物固定用ストッパ２８が嵌合されている。植物固定用ストッパ２８の隣接した位置には、分岐供給管に着脱可能に接続される継手７０Ｊａが設けられている。栽培用容器７０ａ１の下部には、分岐排出管に着脱可能に接続される継手７０Ｊｂが設けられている。継手７０Ｊｂの内径は、継手７０Ｊａの内径に比して小、または、同一に設定されている。
【００６９】
さらに、本発明に係る栽培用容器の変形例においては、図３（Ｂ）に示されるように、構成されてもよい。図３（Ｂ）において、栽培用容器８０ａ１は、所定の厚さの透明または半透明フィルム、例えば、ＧＬフィルム（凸版印刷株式会社製）のような透明バリアフィルムで袋状に作られている。栽培用容器８０ａ１は、分岐供給管の下端が上部に接続され、分岐排出管の上端が下部に接続されている。栽培用容器８０ａ１の上部には、栽培システムの筐体に固定されるフック部８０Ｆａおよび８０Ｆｂが設けられている。
【００７０】
また、栽培用容器８０ａ１の上部における開口部には、上述したような植物１３Ｐａ１を栽培用容器８０ａ１に固定する植物固定用ストッパ２８が嵌合されている。植物固定用ストッパ２８の隣接した位置には、分岐供給管に着脱可能に接続される接続パイプ８０ＵＨが設けられている。栽培用容器８０ａ１の下部には、分岐排出管に着脱可能に接続される接続パイプ８０ＤＨが設けられている。接続パイプ８０ＤＨの内径は、接続パイプ８０ＵＨの内径に比して小、または、同一に設定されている。
【００７１】
さらに、上述した本発明に係る栽培用容器の他の一例を備える栽培システムの第４実施例においては、さらに加えて、図５に示されるように、栽培用容器６０ａ１〜６０ａ４が、保温壁６４および６６で囲まれるように構成されてもよい。保温壁６４および６６は、例えば、発泡スチロール等の保温材料で作られている。これにより、冷暖房費が削減される。
【００７２】
図６は、本発明に係る栽培用容器の一例を備える栽培システムの第５実施例の構成を概略的に示す。なお、図６において、図２（Ａ）に示される例における構成要素と同一の構成要素について同一の符号を付して示し、その重複説明を省略する。
【００７３】
図６において、栽培システムは、例えば、所謂、太陽光型植物工場または人工光閉鎖型植物工場内に設けられている。
【００７４】
栽培システムは、所定の濃度に調整された液体肥料としての培養液ＬＱ（以下、養液ともいう）を貯留する第１タンク４４と、希釈用水を貯留する第２タンク４６と、第１タンク４４からの養液と第２タンク４６からの希釈用水とを混合させる混合用制御弁４８と、混合用制御弁４８からの所定の濃度の養液ＳＬＱを貯留するメイン混合タンク２６と、メイン混合タンク２６内に配され、メイン混合タンク２６内の養液を、酸素混合装置３２を介して分配供給路１４に供給するポンプ３０と、酸素混合装置３２および分配供給路１４からの養液を各栽培用容器４０ａ１、４０ａ２、４０ａ３、４０ａ４…４０ａｎに供給する分配供給路１４と、各栽培用容器４０ａ１、４０ａ２、４０ａ３、４０ａ４…４０ａｎからの廃液を回収し廃液処理装置２２に供給する排出路１６と、分配供給路１４からの養液を貯留するとともに、同一種類の所定の株数の植物１３Ｐａ１、１３Ｐａ２、１３Ｐａ３、１３Ｐａ４…１３Ｐａｎを個別に生育させる複数の栽培用容器４０ａ１、４０ａ２、４０ａ３、４０ａ４…４０ａｎと、排出路１６からの廃液を再利用可能とするように廃液（使用済み養液）に含まれる不純物を除去する廃液処理装置２２と、を主な要素として含んで構成される。
【００７５】
また、分配供給路１４における上流側の端部内の養液の溶存酸素濃度を検出する濃度検出器１１０ａ１と、流量制御弁１８ＤＶ１、１８ＤＶ２、１８ＤＶ３、および、１８ＤＶ４内をそれぞれ、通過する廃液の溶存酸素濃度を検出し、その検出出力を送出する濃度検出器１１０ａ２、１１０ａ３、１１０ａ４、１１０ａ５と、排出路１６における最終端を通過する廃液の溶存酸素濃度を検出し、その検出出力を送出する濃度検出器１１０ａＴ（後述する第２の合算溶存酸素濃度検出器）と、が備えられている。なお、全栽培用容器の植物の全体の酸素消費量を把握する場合、濃度検出器１１０ａ１と濃度検出器１１０ａＴとの２つの濃度検出器だけにより、全栽培用容器の植物の全体の酸素消費量が把握されてもよい。これにより、その設備費用が、溶存酸素検出器を栽培用容器の数だけ設置する場合に比して低減されることとなる。
【００７６】
さらに、メイン混合タンク２６内の養液の電気伝導率（導電率）を検出し、その検出出力ＳＥを送出するＥＣセンサ（導電率計）１０８が備えられている。栽培用容器４０ａ１〜４０ａ４には、栽培用容器４０ａ１〜４０ａ４の底部を支持するとともに下方に向けて栽培用容器４０ａ１〜４０ａ４の蛇腹部を所定量だけ引き伸ばすテーブル５４が設けられている。なお、テーブル５４を駆動する駆動機構は、テーブル５４を昇降させるリフト機構と、リフト機構を駆動させる駆動モータ等を含んで構成されている。テーブル５４の昇降は、斯かる例に限られることなく、例えば、植物の成長が作業者の目視により確認された後、作業者がテーブル５４を昇降させ、栽培用容器４０ａ１〜４０ａ４内の養液の水位を調整してもよい。
【００７７】
栽培用容器４０ａ１〜４０ａ４の底部に接続される分岐排出管４２ＤＵは、例えば、柔軟性のあるフレキシブルチューブとされる。これにより、栽培用容器４０ａ１〜４０ａ４の蛇腹部がテーブル５４により徐々に引き伸ばされる場合、図６に示されるように、分岐排出管４２ＤＵが徐々に湾曲せしめられることとなる。
【００７８】
本発明に係る栽培用容器の一例を備える栽培システムの第５実施例は、図６に示されるように、斯かる構成に加えて、制御ユニット１００をさらに備えている。
【００７９】
制御ユニット１００は、濃度検出器１１０ａ１、濃度検出器１１０ａ２、１１０ａ３、１１０ａ４、１１０ａ５，および、第２の合算溶存酸素濃度検出器としての濃度検出器１１０ａＴからの溶存酸素濃度をあらわす検出出力群ＳＯが入力される検出出力入力部１０２と、検出出力入力部１０２からの溶存酸素濃度をあらわすデータに基づいて栽培用容器４０ａ１〜４０ａ４における植物１３Ｐａ１、１３Ｐａ２、１３Ｐａ３、１３Ｐａ４…１３Ｐａｎの健康指数を演算するとともに、得られた健康指数に基づきメイン混合タンク２６内の養液の濃度、及び、酸素混合装置３２を介して溶存酸素濃度を調整する濃度調整制御部１０６と、後述する濃度調整制御部１０６が実行するプログラムや、健康指数を演算するとき、参照される健康指数と溶存酸素濃度との関係をあらわすルックアップテーブルデータ、得られた栽培用容器４０ａ１〜４０ａ４ごとの健康指数のデータ、液温センサからの養液の温度をあらわすデータ、および、ＥＣセンサ１０８からの検出出力に基づく養液の電気伝導率をあらわすデータ等が格納されるデータ記憶部１０４とを備えている。制御ユニット１００は、さらに、図示が省略されるが、温度センサからの検出出力に基づきメイン混合タンク２６内の養液の温度を調整制御する温度調整制御部、および、テーブル５４の駆動制御を行うテーブル制御部も備えている。
【００８０】
制御ユニット１００における濃度調整制御部１０６が、栽培用容器４０ａ１〜４０ａ４における植物１３Ｐａ１、１３Ｐａ２、１３Ｐａ３、１３Ｐａ４…１３Ｐａｎごとの健康指数を演算するにあたっては、濃度検出器１１０ａ１からの検出出力があらわす溶存酸素濃度と濃度検出器１１０ａ２〜１１０ａ４からの各検出出力があらわす各栽培用容器４０ａ１〜４０ａ４の廃液の溶存酸素濃度との差分を演算する。または、濃度検出器１１０ａ１と濃度検出器１１０ａＴとの２つの濃度検出器だけにより、全栽培用容器の植物の全体の酸素消費量が把握される場合、濃度調整制御部１０６が、濃度検出器１１０ａ１からの検出出力があらわす溶存酸素濃度と濃度検出器１１０ａＴからの各検出出力があらわす排出路１６の最終端を通過する廃液の溶存酸素濃度との差分を演算する。即ち、濃度調整制御部１０６が、濃度検出器１１０ａ１からの検出出力があらわす溶存酸素濃度と第２の合算溶存酸素濃度検出器としての濃度検出器１１０ａＴからの検出出力があらわす全栽培用容器の合算溶存酸素濃度との差分を演算する。
【００８１】
以下に、この差分と健康指数との関係を図７に概略的に示される栽培システムを参照して説明する。図７において、栽培用容器８ａ１，８ａ２，８ａ３が、図６に示される例と同様に分配供給路１４と排出路１６との間に配置されている。栽培用容器８ａ１，８ａ２，８ａ３は、それぞれ、分岐供給管６Ｕ１、６Ｕ２，６Ｕ３と、分岐排出管６Ｄ１、６Ｄ２、および、６Ｄ３とにより接続されている。栽培用容器８ａ１，８ａ２，８ａ３における養液の水位は、栽培用容器８ａ１，８ａ２，８ａ３内における分岐排出管６Ｄ１、６Ｄ２、および、６Ｄ３の突出長さにより制御される。廃液の排出量は、各流量制御弁４ＤＶ１〜４ＤＶ３により制御される。また、分配供給路１４における上流側の端部内の養液の溶存酸素濃度を検出する濃度検出器１１０ａ１と、流量制御弁４ＤＶ１、４ＤＶ２、および、４ＤＶ３内をそれぞれ、通過する廃液の溶存酸素濃度を検出し、その検出出力を送出する濃度検出器１１０ａ２、１１０ａ３、１１０ａ４、および、濃度検出器１１０ａＴが備えられている。
【００８２】
斯かる構成において、例えば、栽培用容器８ａ１における植物１３Ｐａ１が正常に生育し植物１３Ｐａ２のような状態となることを想定した場合、濃度検出器１１０ａ１からの検出出力に基づく養液の溶存酸素濃度と濃度検出器１１０ａ３からの検出出力に基づく養液の溶存酸素濃度との差分が、＋の値となるとき、その差分が、植物１３Ｐａ２が吸収した酸素量（酸素消費量）であり、植物の健康状態をあらわすこととなる。即ち、その差分が、増大するにつれて植物が良好な健康状態にあることとなる。一方、その差分が減少傾向にある場合、病気、感染、生育不良の可能性がある。このような場合、選択された栽培用容器および植物への養液の供給を停止するとともに、選択された栽培用容器および植物の廃棄処理も可能となる。なお、所定期間における酸素消費量と各種の植物の健康指数とがマップ化されルックアップテーブルデータとして予め格納されている。このような酸素消費量の変動を各植物毎に測定し観察し健康状態を管理することにより、栽培における早期の対応が図れることとなる。
【００８３】
濃度調整制御部１０６は、得られた溶存酸素濃度の差分に基づきルックアップテーブルデータを参照して植物ごとの健康指数を演算した後、健康指数が所定値以上または所定値未満のとき、その栽培用容器および植物を選択しデータとして記憶部１０４に記憶させる。これにより、その栽培用容器および植物が重点観察植物として指定されることとなる。その際、指定された栽培用容器に設けられる注意灯が、点滅するように構成されてもよい。
【００８４】
健康指数が所定値以上の場合、その指定された栽培用容器のテーブル５４が所定量だけ下降せしめられることにより、その指定された栽培用容器内の養液の水位が所定の値に維持される。一方、健康指数が所定値未満の場合、流量制御弁等が閉じられ、その指定された栽培用容器への養液の供給が停止されるとともに、その指定された栽培用容器が廃棄される。
【００８５】
さらに、健康指数が所定値以上の場合、ＥＣセンサ１０８からの検出出力に基づきメイン混合タンク２６内の養液の濃度が栽培される植物に対し適正な値であるか否かが判断され、養液の濃度が栽培される植物に対し適正な値となっていない場合、栽培用容器内の養液の濃度が、適正な所定の値となるように、濃度調整制御部１０６は、ＥＣセンサ１０８からの検出出力に基づきルックアップテーブルデータを参照し、駆動制御信号ＣＤを形成し、それを混合用制御弁４８に供給する。上述のルックアップテーブルデータは、例えば、導電率、養液の濃度、および、混合用制御弁４８における養液の流量をパラメータとしてあらわされている。
【００８６】
本発明に係る栽培システムの第５実施例に備えられる制御ユニット１００は、例えば、マイクロコンピュータにより構成されるが、斯かるマイクロコンピュータが実行する栽培用容器内の養液の水位制御プログラムを、図８に示されるフローチャートを参照して説明する。
【００８７】
図８において、制御ユニット１００は、スタート後、ステップＳＡ１において、各検出出力信号を取り込み、続くステップＳＡ２において、濃度検出器１１０ａ１からの検出出力があらわす溶存酸素濃度と濃度検出器１１０ａ２〜１１０ａ４からの各検出出力があらわす各栽培用容器４０ａ１〜４０ａ４の廃液の溶存酸素濃度との差分、または、濃度検出器１１０ａＴからの排出路１６の最終端を通過する廃液の溶存酸素濃度との差分を演算し、ステップＳＡ３に進む。ステップＳＡ３において、得られた溶存酸素濃度の差分に基づきルックアップテーブルデータを参照して植物（栽培用容器）ごとの健康指数が演算されて記憶され、続くステップＳＡ４において、記憶部１０４から読み出された植物（栽培用容器）ごとの健康指数をあらわすデータに基づき各植物の健康状態が判断される。ステップＳＡ４において、健康指数が所定値以上であり、選択された植物が良好な健康状態であると判断される場合、ステップＳＡ５に進み、その特定の良好な健康状態である植物（栽培用容器）が選択され、続くステップＳＡ６において、選択された栽培用容器のテーブル５４の駆動モータが作動状態とされ、テーブル５４が所定量だけ下降せしめられ、プログラムを終了する。
【００８８】
また、ステップＳＡ４において、健康指数が所定値未満であり、選択された植物の健康状態が悪い状態であると判断される場合、続くステップＳＡ７において、健康状態が悪い状態である植物（栽培用容器）が選択され、ステップＳＡ８に進み、その植物（栽培用容器）への養液の供給を停止させるべく、例えば、注意灯が、点滅され、プログラムが終了する。
【００８９】
観察員は点灯している植物（栽培用容器）に行って状態観察を行う。判断結果に基づいて処置を行うと同時に、注意灯を消灯する。目視確認により判断した結果情報は、記憶部１０４に登録され、プログラムが終了する。次回以降にプログラムが判断する判断精度向上に反映される。
【００９０】
また、斯かるマイクロコンピュータが実行する栽培用容器内の養液の濃度調整制御プログラムを、図９に示されるフローチャートを参照して説明する。
【００９１】
図９において、制御ユニット１００は、スタート後、ステップＳＢ１において、各検出出力信号を取り込み、続くステップＳＢ２において、濃度検出器１１０ａ１からの検出出力があらわす溶存酸素濃度と濃度検出器１１０ａ２〜１１０ａ４からの各検出出力があらわす各栽培用容器４０ａ１〜４０ａ４の廃液の溶存酸素濃度との差分、または、濃度検出器１１０ａＴからの排出路１６の最終端を通過する廃液の溶存酸素濃度との差分を演算し、ステップＳＢ３に進む。ステップＳＢ３において、得られた溶存酸素濃度の差分に基づきルックアップテーブルデータを参照して植物（栽培用容器）ごとの健康指数が演算されて記憶され、続くステップＳＢ４において、記憶部１０４から読み出された植物（栽培用容器）ごとの健康指数をあらわすデータに基づき各植物の健康状態が判断される。ステップＳＢ４において、健康指数が所定値以上であり、すべての植物が良好な健康状態であると判断される場合、ステップＳＢ５に進み、メイン混合タンク２６内の養液の濃度が、ＥＣセンサ１０８からの検出出力および所定のルックアップテーブルデータに基づき各植物に対し適正であるかどうかを判断し、メイン混合タンク２６内の養液の濃度が、適正であると判断されるとき、プログラムを終了する。
【００９２】
ステップＳＢ４において、健康指数が所定値未満であり、少なくとも一つの植物の健康状態が悪い状態であると判断される場合、続くステップＳＢ６において、栽培用容器内の養液の濃度が、適正な所定の値となるように、濃度調整制御部１０６は、ＥＣセンサ１０８からの検出出力に基づきルックアップテーブルデータを参照し、駆動制御信号ＣＤを形成し、それを混合用制御弁４８に供給し、ステップＳＢ７に進む。ステップＳＢ７において、温度センサからの検出出力信号に基づきメイン混合タンク２６内の養液の温度を適正な所定の温度に調整するとともに、更に、供給する養液中の溶存酸素濃度の混入設定値を調整し、プログラムを終了する。
【００９３】
また、ステップＳＢ５において、メイン混合タンク２６内の養液の濃度が、ＥＣセンサ１０８からの検出出力および所定のルックアップテーブルデータに基づき各植物に対し適正でないと判断される場合、ステップＳＢ６以降のステップを上述のように実行しプログラムを終了する。
【００９４】
上述の図６に示される栽培システムにおいては、複数の栽培用容器４０ａ１、４０ａ２、４０ａ３、４０ａ４…４０ａｎを備えるものとされるが、斯かる例に限られることなく、例えば、図２（Ｂ）に示される栽培用容器５０ａ１、５０ａ２、５０ａ３、５０ａ４…５０ａｎを備えるものであってもよい。
【００９５】
なお、上述の例においては、同一種類の植物１２Ｐａ１〜１２Ｐａ４、同一種類の植物１３Ｐａ１〜１３Ｐａ４が、各栽培用容器に収容されているが、斯かる例に限られることなく、例えば、養液が共用可能とされる異なる種類の植物が、各栽培用容器に収容されてもよい。また、栽培される植物は、葉菜類および根菜類に限られることなく、例えば、果実類等であってもよい。
【００９６】
図１０は、本発明に係る栽培用容器の一例を備える栽培システムの第６実施例の構成を概略的に示す。なお、図１０において、図２（Ａ）に示される例における構成要素と同一の構成要素について同一の符号を付して示し、その重複説明を省略する。
【００９７】
図１０において、栽培システムは、例えば、所謂、太陽光型植物工場または人工光閉鎖型植物工場内に設けられている。
【００９８】
図１０において、栽培システムは、図示が省略されるが、上述したサブ混合タンク３４と、酸素混合装置３２と、メイン混合タンク２６と、ポンプ３０と、廃液処理装置２２とをさらに備えるものとされる。
【００９９】
図２（Ａ）に示される例では、栽培用容器４０ａ１が、所定の厚さの透明または半透明フィルム、例えば、ＧＬフィルム（凸版印刷株式会社製）のような透明バリアフィルムで袋状に作られ、栽培用容器４０ａ１の胴の一部の全周に、植物１３Ｐａ１〜１３Ｐａ４の成長に応じた水位調節手段としての伸縮可能な蛇腹部が形成されるように構成されるが、その代わりに、図１０に示される例においては、栽培用容器９０ａ１が、円筒状の保湿用カバー部材９０Ｃの内側に養液用カップ９２および受け袋９４を移動可能に備えるものとされる。
【０１００】
なお、図１０においては、代表的に、複数の植物１３Ｐａ１〜１３Ｐａｎおよび栽培用容器９０ａ１〜９０ａｎのうちの植物１３Ｐａ１〜１３Ｐａ４および栽培用容器９０ａ１、９０ａ２、９０ａ３、９０ａ４が示されている。
【０１０１】
栽培用容器９０ａ１〜９０ａ４は、互いに同一の構造を有しているので栽培用容器９０ａ１について説明し、他の栽培用容器の説明を省略する。
【０１０２】
栽培用容器９０ａ１は、図１１（Ａ）に示されるように、その外郭部を形成する保湿用カバー部材９０Ｃと、保湿用カバー部材９０Ｃの内側に移動可能に配される養液用カップ９２および受け袋９４と、養液用カップ９２および受け袋９４を保湿用カバー部材９０Ｃに対し固定する固定具９０Ｗと、を含んで構成されている。
【０１０３】
保湿用カバー部材９０Ｃは、所定の厚さの透明または半透明フィルム、例えば、ＧＬフィルム（凸版印刷株式会社製）のような透明バリアフィルムで筒状に作られている。保湿用カバー部材９０Ｃは、両端に開口端を有している。保湿用カバー部材９０Ｃにおける一方の開口端の内側には、環状の樹脂製支持枠９０Ｌが、締結バンド９０Ｂにより固定されている。支持枠９０Ｌは、図示が省略される栽培システムの筐体により支持されている。
【０１０４】
支持枠９０Ｌは、栽培用容器４０ａ１の上部を形成する蓋部材９０Ｔに連結されることによって、蓋部材９０Ｔにより覆われる。蓋部材９０Ｔにおける継手９０Ｊａは、分岐供給管４２Ｕ１の下端が上部に着脱可能に接続される。また、後述する受け袋９４の排出口９４Ｄが、分岐排出管４２Ｄ１の上端に着脱可能に接続されている。分岐供給管４２Ｕ１および分岐排出管４２Ｄ１の内径は、略同一に設定されている。
【０１０５】
また、蓋部材９０Ｔにおける開口部には、植物１３Ｐａ１を蓋部材９０Ｔに固定する植物固定用ストッパ２８が一体に形成されている。
【０１０６】
保湿用カバー部材９０Ｃの胴部の内側には、養液貯留手段としての養液用カップ９２および受け袋９４が、固定具９０Ｗにより所定位置に固定されている。養液用カップ９２および受け袋９４の位置は、図１０に示されるように、植物１３Ｐａ１の先端部の成長に応じてその一部が常に養液ＬＱ´中に浸るように設定されている。
【０１０７】
支持枠９０Ｌに向けて開口する養液用カップ９２は、所定の厚さの透明または半透明材料で作られ、略円錐台状縦断面を有する養液貯留部９２Ａを内側に有している。養液貯留部９２Ａを形成する側壁部における所定位置には、例えば、孔９２ａが円周方向に沿って所定の間隔で共通の円周上に４箇所に形成されている。これにより、養液ＬＱ´の最上端の液面が孔９２ａの位置よりも開口端に近い高い位置まで到達するように、養液ＬＱ´が養液用カップ９２内に供給される場合、養液ＬＱ´が、受け袋９４の内側と養液用カップ９２の外側との間に漏れ出すこととなる。
【０１０８】
養液貯留手段としての養液用カップ９２の外周部における開口端の一部は、所定の厚さの透明または半透明材料で作られた受け袋９４の内周部における開口端に接着されている。受け袋９４の最下端部には、上述の孔９２ａを介して漏れ出した養液ＬＱ´を排出する排出口９４Ｄが設けられている。
【０１０９】
固定具９０Ｗは、例えば、図１１に示されるように、Ｃ型の金属製ワイヤ９０Ｗａと、ワイヤ９０Ｗａの両端にそれぞれ形成されるねじ止め部９０Ｗｃと、ねじ止め部９０Ｗｃに嵌め合わされる調整ねじ９０Ｗｂとから構成されている。斯かる構成において、そのねじ止め部９０Ｗｃが互いに近接または離隔するように、調整ねじ９０Ｗｂがねじ止め部９０Ｗｃにねじ込まれる場合、養液用カップ９２および受け袋９４が、保湿用カバー部材９０Ｃの胴部の内側に対しワイヤ９０Ｗａにより固定状態または解放状態とされる。
【０１１０】
従って、植物１３Ｐａ１〜１３Ｐａ４の成長に応じた水位調節手段が、保湿用カバー部材９０Ｃと、孔９２ａを有する養液用カップ９２と、固定具９０Ｗとにより形成されることとなる。その際、養液ＬＱ´の水位を植物１３Ｐａ１〜１３Ｐａ４の根の先端部近傍に一致させるように、保湿用カバー部材９０Ｃおよび養液用カップ９２を通じて目視で水位が調整可能とされる。
【０１１１】
これにより、固定具９０Ｗを弛めることによって植物１３Ｐａ１〜１３Ｐａ４の成長に応じて養液用カップ９２の保湿用カバー部材９０Ｃに対する相対位置を下方に向けて調整することにより、所定量の養液ＬＱ´が、養液用カップ９２内に貯留されることとなる。栽培用容器９０ａ１〜９０ａ４における養液ＬＱ´の液面よりも上方には、空気層が、形成されることとなる。なお、図１０において、栽培用容器９０ａ２〜９０ａ４は、それぞれ、養液用カップ９２および受け袋９４が下方に向けて下降され、位置調整された状態を示す。
【０１１２】
養液用カップ９２および受け袋９４が下降される場合、分岐排出管４２Ｄ１〜４２Ｄ４の長さが、短くなるように調整される。即ち、分岐排出管４２Ｄ１〜４２Ｄ４の長さが、植物１３Ｐａ１〜１３Ｐａ４の成長に応じて短くなるように、例えば、柔軟性のあるホース（分岐排出管）がとぐろ巻き状態になり栽培用容器のスペースを確保できる。
【０１１３】
従って、植物は成長していくにつれ根部の先端部は下方に伸びていくので養液用カップ９２の保湿用カバー部材９０Ｃに対する相対位置を調整することにより、養液の水深が維持されながら、水位の位置だけを根の成長に合わせて移動させることができる。これを、植物の成長を観察しながら調整することにより、根菜類の根の肥大をさせながら生育をさせることが可能となる。各栽培用容器毎に成長にバラツキがあっても、植物の成長度に応じたケアが可能である。また、養液の循環、供給、植物の栽培に於いて、ある程度の密閉性を保持しているため特に感染ルートとなる地下系の根、養液は、植物間で遮断されている。これにより、隣の植物が病気に感染しても伝染し難い環境になっている。
【０１１４】
図１２は、本発明に係る栽培用容器の一例を備える栽培システムの第７実施例の構成を概略的に示す。なお、図１２において、図２（Ａ）および図１１（Ａ）に示される例における構成要素と同一の構成要素について同一の符号を付して示し、その重複説明を省略する。
【０１１５】
図１０に示される例における養液用カップ９２が、排出口９４Ｄを有する受け袋９４の内側に配される構成とされるが、その代わりに、図１２に示される例においては、受け袋９４を設けることなく、養液用カップ９２´が、養液排出用継手９６を備えるものとされる。
【０１１６】
図１２において、栽培システムは、例えば、所謂、太陽光型植物工場または人工光閉鎖型植物工場内に設けられている。
【０１１７】
図１２において、栽培システムは、図示が省略されるが、上述したサブ混合タンク３４と、酸素混合装置３２と、メイン混合タンク２６と、ポンプ３０と、廃液処理装置２２とをさらに備えるものとされる。
【０１１８】
なお、図１２においては、代表的に、複数の植物１３Ｐａ１〜１３Ｐａｎおよび栽培用容器９０´ａ１〜９０´ａｎのうちの植物１３Ｐａ１〜１３Ｐａ４および栽培用容器９０´ａ１、９０´ａ２、９０´ａ３、９０´ａ４が示されている。
【０１１９】
栽培用容器９０´ａ１〜９０´ａ４は、互いに同一の構造を有しているので栽培用容器９０´ａ１について説明し、他の栽培用容器の説明を省略する。
【０１２０】
栽培用容器９０´ａ１は、図１３に示されるように、その外郭を形成する保湿用カバー部材９０Ｃと、保湿用カバー部材９０Ｃの内側に移動可能に配される養液用カップ９２´と、養液用カップ９２´を保湿用カバー部材９０Ｃに対し固定する固定具９０Ｗと、を含んで構成されている。
【０１２１】
図１３に示される蓋部材９０Ｔには、栽培システムの筐体に固定されるフック部９０´Ｆａおよび９０´Ｆｂが設けられている。蓋部材９０Ｔにおける継手９０Ｊａは、分岐供給管４２Ｕ１の下端が上部に着脱可能に接続される。また、養液用カップ９２´の継手９６が、分岐排出管４２Ｄ１の上端に着脱可能に接続されている。分岐供給管４２Ｕ１および分岐排出管４２Ｄ１の内径は、略同一に設定されている。継手９０Ｊａの内径は、養液用カップ９２´の継手９６の内径よりも大に設定されている。
【０１２２】
養液用カップ９２´は、所定の厚さの透明または半透明材料で作られ、略円錐台状の養液貯留部９２´Ａを内側に有している。養液用カップ９２´は、保湿用カバー部材９０Ｃの中に挿入され治具によって任意の高さ位置に調整され、固定具９０Ｗにより固定されている。養液貯留部９２´Ａの内側の底部には、継手９６の端部が所定の長さＬＨだけ突出している。仮に、養液ＬＱ´の水位が上昇した場合、養液が継手９６の一方の開口端を通じて排出されるので養液ＬＱ´の水位が、所定の長さに対応した所定の水位に制御されることとなる。継手９６は、養液貯留部９２´Ａの内側の底部に対し略垂直に設けられている。これにより、養液ＬＱ´の最上端の液面が継手９６の端部の位置よりも開口端に近い高い位置まで到達するように、養液ＬＱ´が養液用カップ９２´内に供給される場合、養液ＬＱ´が、継手９６および分岐排出管４２Ｄ１を通じて養液用カップ９２の外に流れ出すこととなる。
【０１２３】
従って、植物１３Ｐａ１〜１３Ｐａ４の成長に応じた水位調節手段が、保湿用カバー部材９０Ｃと、継手９６を有する養液用カップ９２´と、固定具９０Ｗとにより形成されることとなる。その際、養液ＬＱ´の水位を植物１３Ｐａ１〜１３Ｐａ４の根の先端部近傍に一致させるように、保湿用カバー部材９０Ｃおよび養液用カップ９２´を通じて目視で水位が調整可能とされる。特に、養液ＬＱ´の水位を植物１３Ｐａ１〜１３Ｐａ４の根の先端部から肥大化し始める部の近傍に一致させるように、目視で水位が調整可能とされる。
【０１２４】
これにより、固定具９０Ｗを弛めることによって植物１３Ｐａ１〜１３Ｐａ４の成長に応じて養液用カップ９２´の保湿用カバー部材９０Ｃに対する相対位置を下方に向けて調整することにより、所定量の養液ＬＱ´が、養液用カップ９２´内に貯留されることとなる。栽培用容器９０´ａ１〜９０´ａ４における養液ＬＱ´の液面よりも上方には、空気層が、形成されることとなる。なお、図１２において、栽培用容器９０´ａ２〜９０´ａ４は、それぞれ、養液用カップ９２´が下方に向けて下降され、位置調整された状態を示す。
【０１２５】
養液用カップ９２´が下降される場合、分岐排出管４２Ｄ１〜４２Ｄ４の長さが、短くなるように調整される。即ち、分岐排出管４２Ｄ１〜４２Ｄ４の長さが、植物１３Ｐａ１〜１３Ｐａ４の成長に応じて短くなるように、例えば、柔軟性のあるホース（分岐排出管）がとぐろ巻き状態になり栽培用容器のスペースを確保できる。
【０１２６】
従って、植物は成長していくにつれ根部の先端部は下方に伸びていくので養液用カップ９２´の保湿用カバー部材９０Ｃに対する相対位置を調整することにより、養液の水深が維持されながら、水位の位置だけを根の成長に合わせて移動させることができる。これを、植物の成長を観察しながら調整することにより、根菜類の根の肥大をさせながら生育をさせることが可能となる。各栽培用容器毎に成長にバラツキがあっても、植物の成長度に応じたケアが可能である。また、養液の循環、供給、植物の栽培に於いて、ある程度の密閉性を保持しているため特に感染ルートとなる地下系の根、養液は、植物間で遮断されている。これにより、隣の植物が病気に感染しても伝染し難い環境になっている。
【０１２７】
図１４は、本発明に係る栽培用容器の一例を備える栽培システムの第８実施例の構成を概略的に示す。なお、図１４において、図２（Ａ）に示される例における構成要素と同一の構成要素について同一の符号を付して示し、その重複説明を省略する。
【０１２８】
図１４において、栽培システムは、例えば、所謂、太陽光型植物工場または人工光閉鎖型植物工場内に設けられている。
【０１２９】
図１４において、栽培システムは、図示が省略されるが、上述したサブ混合タンク３４と、酸素混合装置３２と、メイン混合タンク２６と、ポンプ３０と、廃液処理装置２２とをさらに備えるものとされる。
【０１３０】
図２（Ａ）に示される例では、栽培用容器４０ａ１が、所定の厚さの透明または半透明フィルム、例えば、ＧＬフィルム（凸版印刷株式会社製）のような透明バリアフィルムで袋状に作られ、栽培用容器４０ａ１の胴の一部の全周に、植物１３Ｐａ１〜１３Ｐａ４の成長に応じた水位調節手段としての伸縮可能な蛇腹部が形成されるように構成されるが、その代わりに、図１４に示される例においては、栽培用容器１００ａ１が、植物１５Ｐａ１〜１５Ｐａ３の成長に応じて移動可能な養液用トレイ１１２を保湿用カバー部材１０６Ａ、１０６Ｂ、１０６Ｃ、および、１０６Ｄで囲まれた内部空間内に備えるものとされる。
【０１３１】
なお、図１４においては、代表的に、複数の植物１５Ｐａ１〜１５Ｐａｎおよび栽培用容器１００ａ１〜１００ａｎのうちの植物１５Ｐａ１〜１５Ｐａ４および栽培用容器１００ａ１、１００ａ２、および、１００ａ３が示されている。斯かる栽培システムにおいて栽培される植物１５Ｐａ１〜１５Ｐａ３…は、例えば、所定の株数のにんじん、朝鮮人参、だいこん等の根菜類とされる。
【０１３２】
栽培用容器１００ａ１〜１００ａ３は、互いに同一の構造を有しているので栽培用容器１００ａ１について説明し、他の栽培用容器の説明を省略する。
【０１３３】
栽培用容器１００ａ１は、例えば、図１５に示されるように、その外郭を形成する保湿用カバー部材１０６Ａ、１０６Ｂ、１０６Ｃ、および、１０６Ｄと、保湿用カバー部材１０６Ａ〜１０６Ｄで囲まれた内部空間内に移動可能に配される養液用トレイ１１２と、養液用トレイ１１２を保湿用カバー部材１０６Ａ〜１０６Ｄの内周部に対し固定する固定具１０８Ｂと、を主な要素として含んで構成されている。
【０１３４】
保湿用カバー部材１０６Ａ〜１０６Ｄは、それぞれ、所定の厚さの透明または半透明フィルム、例えば、ＧＬフィルム（凸版印刷株式会社製）のような透明バリアフィルムで帯状に作られている。保湿用カバー部材１０６Ａ〜１０６Ｄの上端は、それぞれ、枠状の樹脂製支持枠１０４の各辺の外周部に、固定具１０８Ａにより固定されている。保湿用カバー部材１０６Ａ〜１０６Ｄの下端は、所定の長さ分だけ巻かれている。その際、支持枠１０４の各角部には、保湿用カバー部材１１０Ａ、１１０Ｂ、１１０Ｃ、および、１１０Ｄの上端が、保湿用カバー部材１０６Ａ〜１０６Ｄの内周面と支持枠１０４の各角部の外周面との間に挟持されている。保湿用カバー部材１１０Ａ〜１１０Ｄの下端は、所定の長さ分だけ巻かれている。これにより、固定具１０８Ｂが弛められた後、移動テーブル１１４が植物１５Ｐａ１の成長に応じて所定量、下降せしめられる場合、保湿用カバー部材１０６Ａ〜１０６Ｄの下端、および、保湿用カバー部材１１０Ａ〜１１０Ｄの下端における巻かれた端部が広げられる。即ち、保湿用カバー部材１１０Ａ〜１１０Ｄは、伸縮可能となる。また、保湿用カバー部材１１０Ａ〜１１０Ｄの下端は、所定の長さ分だけ巻かれているので移動テーブル１１４の移動の妨げとはならず、しかも、移動テーブル１１４の下方に形成される空間を利用することも可能となる。
【０１３５】
支持枠１０４は、栽培システムの筐体により支持されている支持部材１１６に固定されている。支持枠１０４は、栽培用容器１００ａ１の上部を形成する蓋部材１０２に連結される。これにより、蓋部材１０２により、保湿用カバー部材１０６Ａ〜１０６Ｄ等で囲まれた内部空間が、閉じられる。蓋部材１０２における継手１０２Ｊａは、分岐供給管４２Ｕ１の下端に着脱可能に接続される。また、後述する養液用トレイ１１２における排出管１１２Ｄの下端が、分岐排出管４２Ｄ１の上端に着脱可能に接続されている。分岐供給管４２Ｕ１および分岐排出管４２Ｄ１の内径は、略同一に設定されている。
【０１３６】
また、蓋部材１０２における複数の開口部には、それぞれ、植物１５Ｐａ１を蓋部材１０２に固定する植物固定用ストッパ２８が一体に形成されている。
【０１３７】
保湿用カバー部材１０６Ａ〜１０６Ｄの内側には、養液貯留手段としての養液用トレイ１１２が、固定具１０８Ｂにより所定位置に固定されている。養液用トレイ１１２の位置は、図１４に示されるように、植物１５Ｐａ１の先端部の成長に応じてその一部が常に養液ＬＱ´中に浸るように設定されている。
【０１３８】
支持枠１４に向けて開口する養液用トレイ１１２は、所定の厚さの透明または半透明材料で作られ、養液貯留部１１２Ａを内側に有している。養液貯留部１１２Ａを形成する底壁部における所定位置には、排出管１１２Ｄの一端が、所定の長さだけ養液貯留部１１２Ａ内に向けて突出している。
【０１３９】
また、加えて、養液用トレイ１１２を昇降可能に支持する移動テーブル１１４を備えている。移動テーブル１１４は、図示が省略されるテーブル昇降機構部に連結されている。これにより、移動テーブル１１４は、テーブル昇降機構部により昇降可能とされる。テーブル昇降機構部の駆動方法は、手動式あるいは電動式であってもよい。
【０１４０】
従って、植物１５Ｐａ１〜１５Ｐａ３の成長に応じた水位調節手段が、排出管１１２Ｄを有する養液用トレイ１１２と、移動テーブル１１４およびテーブル昇降機構部とにより形成されることとなる。その際、養液ＬＱ´の水位を植物１５Ｐａ１〜１５Ｐａ３の根の先端部近傍に一致させるように、保湿用カバー部材１０６Ａ〜１０６Ｄおよび養液用トレイ１１２を通じて目視で水位が調整可能とされる。
【０１４１】
これにより、固定具１０８Ｂを弛めることによって植物１５Ｐａ１〜１５Ｐａ３の成長に応じて養液用トレイ１１２および移動テーブル１１４の位置を下方に向けて調整することにより、常に、植物１５Ｐａ１の先端の一部が常に養液ＬＱ´中に浸るように、養液ＬＱ´が、養液用トレイ１１２内に貯留されることとなる。栽培用容器１００ａ１〜１００ａ３における養液ＬＱ´の液面よりも上方には、空気層が、形成されることとなる。なお、図１４において、栽培用容器１００ａ２、および、１００ａ３は、それぞれ、養液用トレイ１１２および移動テーブル１１４が、所定量、下方に向けて下降され、位置調整された状態を示す。
【０１４２】
養液用トレイ１１２および移動テーブル１１４が下降される場合、分岐排出管４２Ｄ１〜４２Ｄ４の長さが、短くなるように調整される。即ち、分岐排出管４２Ｄ１〜４２Ｄ４の長さが、植物１５Ｐａ１〜１５Ｐａ３の成長に応じて短くなるように、例えば、柔軟性のあるホース（分岐排出管）がとぐろ巻き状態になり栽培用容器のスペースを確保できる。
【０１４３】
従って、植物は成長していくにつれ根部の先端部は下方に伸びていくので養液用トレイ１１２の位置を調整することにより、養液の水深が維持されながら、水位の位置だけを根の成長に合わせて移動させることができる。これを、植物の成長を観察しながら調整することにより、根菜類の根の肥大をさせながら生育をさせることが可能となる。各栽培用容器毎に成長にバラツキがあっても、植物の成長度に応じたケアが可能である。また、養液の循環、供給、植物の栽培に於いて、ある程度の密閉性を保持しているため特に感染ルートとなる地下系の根、養液は、植物間で遮断されている。これにより、隣の植物が病気に感染しても伝染し難い環境になっている。
【０１４４】
図１６（Ａ）は、本発明に係る栽培用容器の一例を備える栽培システムの第９実施例の構成を概略的に示す。なお、図１６（Ａ）において、図２（Ａ）および図１４に示される例における構成要素と同一の構成要素について同一の符号を付して示し、その重複説明を省略する。
【０１４５】
図１６（Ａ）において、栽培システムは、例えば、所謂、太陽光型植物工場または人工光閉鎖型植物工場内に設けられている。
【０１４６】
図１６（Ａ）において、栽培システムは、図示が省略されるが、上述したサブ混合タンク３４と、酸素混合装置３２と、メイン混合タンク２６と、ポンプ３０と、廃液処理装置２２とをさらに備えるものとされる。
【０１４７】
図１４に示される例においては、栽培用容器１００ａ１、１００ａ２、および、１００ａ３における支持枠１０４は、栽培システムの筐体により支持されている共通の支持部材１１６に固定され、養液用トレイ１１２が移動テーブル１１４に固定されているが、その代わりに、図１６（Ａ）に示される例においては、栽培用容器１００ａ１、１００ａ２、および、１００ａ３における支持枠１０４は、それぞれ、移動テーブル１１６Ａ、１１６Ｂ、および、１１６Ｃに支持され、栽培用容器１００ａ１、１００ａ２、および、１００ａ３における養液用トレイ１１２が、それぞれ、共通の固定テーブル１１５に固定される構成を備えるものとされる。
【０１４８】
なお、図１６（Ａ）においては、代表的に、複数の植物１５Ｐａ１〜１５Ｐａｎおよび栽培用容器１００ａ１〜１００ａｎのうちの植物１５Ｐａ１〜１５Ｐａ３および栽培用容器１００ａ１、１００ａ２、および、１００ａ３が示されている。
【０１４９】
栽培用容器１００ａ１、１００ａ２、および、１００ａ３における支持枠１０４は、それぞれ、移動テーブル１１６Ａ、１１６Ｂ、および、１１６Ｃに連結されている。移動テーブル１１６Ａ、１１６Ｂ、および、１１６Ｃは、図示が省略されるテーブル昇降機構部に連結されている。これにより、移動テーブル１１６Ａ、１１６Ｂ、および、１１６Ｃは、テーブル昇降機構部により昇降可能とされる。テーブル昇降機構部の駆動方法は、手動式あるいは電動式であってもよい。
【０１５０】
栽培用容器１００ａ１、１００ａ２、および、１００ａ３における蓋部材１０２における継手１０２Ｊａは、分岐供給管４２´Ｕ１、４２´Ｕ２、および、４２´Ｕ３の下端に着脱可能に接続される。また、栽培用容器１００ａ１、１００ａ２、および、１００ａ３における養液用トレイ１１２における排出管１１２Ｄの下端が、分岐排出管４３Ｄ１、４３Ｄ２、および、４３Ｄ３の上端に着脱可能に接続されている。分岐供給管４２´Ｕ１、４２´Ｕ２、および、４２´Ｕ３の内径と、互いに同一の長さを有する分岐排出管４３Ｄ１、４３Ｄ２、および、４３Ｄ３の内径とは、略同一に設定されている。なお、蓋部材１０２は、支持枠１０４と一緒に移動テーブル１１６Ａに固定されるフック部（不図示）が設けられてもよい。
【０１５１】
養液用トレイ１１２が固定される共通の固定テーブル１１５は、栽培システムの筐体により支持されている。
【０１５２】
従って、植物１５Ｐａ１〜１５Ｐａ３の成長に応じた水位調節手段が、排出管１１２Ｄを有する養液用トレイ１１２と、移動テーブル１１６Ａ、１１６Ｂ、および、１１６Ｃと、テーブル昇降機構部とにより形成されることとなる。仮に、養液ＬＱ´の水位が上昇した場合、養液ＬＱ´が排出管１１２Ｄの一方の開口端を通じて排出されるので養液ＬＱ´の水位が、所定の長さの植物１５Ｐａ１〜１５Ｐａ３に対応した所定の水位に制御されることとなる。その際、養液ＬＱ´の水位を植物１５Ｐａ１〜１５Ｐａ３の根の先端部近傍に一致させるように、保湿用カバー部材１０６Ａ〜１０６Ｄおよび養液用トレイ１１２を通じて目視で水位が調整可能とされる。即ち、例えば、養液ＬＱ´の水位を植物１５Ｐａ１〜１５Ｐａ３の根の先端部から肥大化し始める部の近傍に一致させるように、目視で水位が調整可能とされる。
【０１５３】
これにより、固定具１０８Ｂを弛めることによって植物１５Ｐａ１〜１５Ｐａ３の成長に応じて植物１５Ｐａ１〜１５Ｐａ３を伴って移動テーブル１１６Ａ、１１６Ｂ、および、１１６Ｃの位置と、蓋部材１０２の位置とを上方に向けて調整することにより、常に、植物１５Ｐａ１の先端の一部が常に養液ＬＱ´中に浸るように、養液ＬＱ´が、養液用トレイ１１２内に貯留されることとなる。なお、図１６（Ａ）において、栽培用容器１００ａ２、および、１００ａ３は、それぞれ、養液用トレイ１１２および移動テーブル１１６Ｂ、および、１１６Ｃが、所定量、上昇され、位置調整された状態を示す。
【０１５４】
養液用トレイ１１２および移動テーブル１１６Ａ、１１６Ｂ、および、１１６Ｃが上昇される場合、分岐排出管４２´Ｕ１〜４２´Ｕ３の長さが、短くなるように調整される。即ち、分岐排出管４２´Ｕ１〜４２´Ｕ３の長さが、植物１５Ｐａ１〜１５Ｐａ３の成長に応じて短くなるように、例えば、柔軟性のあるホース（分岐排出管）がとぐろ巻き状態になり栽培用容器のスペースを確保できる。
【０１５５】
従って、植物は成長していくにつれ根部の先端部は下方に伸びていくので植物の根の養液用トレイ１１２内の養液ＬＱ´に対する位置を調整することにより、養液の水深が維持されながら、水位の位置だけを根の成長に合わせて移動させることができる。これを、植物の成長を観察しながら調整することにより、根菜類の根の肥大をさせながら生育をさせることが可能となる。各栽培用容器毎に成長にバラツキがあっても、植物の成長度に応じたケアが可能である。また、養液の循環、供給、植物の栽培に於いて、ある程度の密閉性を保持しているため特に感染ルートとなる地下系の根、養液は、植物間で遮断されている。これにより、隣の植物が病気に感染しても伝染し難い環境になっている。
【０１５６】
図１６（Ｂ）は、本発明に係る栽培用容器の一例を備える栽培システムの第１０実施例の構成を概略的に示す。なお、図１６（Ｂ）において、図２（Ａ）、図１４、および、図１５に示される例における構成要素と同一の構成要素について同一の符号を付して示し、その重複説明を省略する。
【０１５７】
図１６（Ｂ）において、栽培システムは、例えば、所謂、太陽光型植物工場または人工光閉鎖型植物工場内に設けられている。
【０１５８】
図１６（Ｂ）において、栽培システムは、図示が省略されるが、上述したサブ混合タンク３４と、酸素混合装置３２と、メイン混合タンク２６と、ポンプ３０と、廃液処理装置２２とをさらに備えるものとされる。
【０１５９】
図１４に示される例においては、栽培用容器１００ａ１〜１００ａ３が、植物１５Ｐａ１〜１５Ｐａ３の成長に応じて移動可能な養液用トレイ１１２を保湿用カバー部材１０６Ａ、１０６Ｂ、１０６Ｃ、および、１０６Ｄで囲まれた内部空間内に備えるものとされるが、その代わりに、図１６（Ｂ）に示される例においては、栽培用容器１００´ａ１〜１００´ａ３が、植物１５Ｐａ１〜１５Ｐａ３の成長に応じて移動可能な養液用トレイ１１２を、角筒状の保湿用カバー部材１０７内に備えるものとされる。
【０１６０】
なお、図１６（Ｂ）においては、代表的に、複数の植物１５Ｐａ１〜１５Ｐａｎおよび栽培用容器１００´ａ１〜１００´ａｎのうちの植物１５Ｐａ１〜１５Ｐａ３および栽培用容器１００´ａ１、１００´ａ２、および、１００´ａ３が示されている。栽培用容器１００´ａ１〜１００´ａ３は、互いに同一の構造を有しているので栽培用容器１００´ａ１について説明し、他の栽培用容器の説明を省略する。
【０１６１】
栽培用容器１００´ａ１は、その外郭を形成する保湿用カバー部材１０７と、保湿用カバー部材１０７で囲まれた内部空間内に移動可能に配される養液用トレイ１１２と、養液用トレイ１１２を保湿用カバー部材１０７の内周部に対し固定する固定具１０８Ｂと、を主な要素として含んで構成されている。
【０１６２】
保湿用カバー部材１０７は、所定の厚さの透明または半透明フィルム、例えば、ＧＬフィルム（凸版印刷株式会社製）のような透明バリアフィルムで角筒状に作られている。保湿用カバー部材１０７の上端は、それぞれ、上述の枠状の樹脂製支持枠１０４の各辺の外周部に、固定具１０８Ａにより固定されている。保湿用カバー部材１０７の下端は、移動テーブル１１４の下方の所定位置まで延びている。支持枠１０４は、栽培システムの筐体により支持されている支持部材１１６に固定されている。支持枠１０４は、栽培用容器１００´ａ１の上部を形成する蓋部材１０２に連結される。これにより、蓋部材１０２により、保湿用カバー部材１０７で囲まれた内部空間が、閉じられる。
【０１６３】
保湿用カバー部材１０７の内側には、養液用トレイ１１２が、固定具１０８Ｂにより所定位置に固定されている。養液用トレイ１１２の位置は、図１６（Ｂ）に示されるように、植物１５Ｐａ１の先端部の成長に応じてその一部が常に養液ＬＱ´中に浸るように設定されている。
【０１６４】
従って、植物１５Ｐａ１〜１５Ｐａ３の成長に応じた水位調節手段が、排出管１１２Ｄを有する養液用トレイ１１２と、移動テーブル１１４およびテーブル昇降機構部とにより形成されることとなる。その際、養液ＬＱ´の水位を植物１５Ｐａ１〜１５Ｐａ３の根の先端部近傍に一致させるように、保湿用カバー部材１０７および養液用トレイ１１２を通じて目視で水位が調整可能とされる。
【０１６５】
これにより、固定具１０８Ｂを弛めることによって植物１５Ｐａ１〜１５Ｐａ３の成長に応じて養液用トレイ１１２および移動テーブル１１４の位置を下方に向けて調整することにより、常に、植物１５Ｐａ１の先端の一部が常に養液ＬＱ´中に浸るように、養液ＬＱ´が、養液用トレイ１１２内に貯留されることとなる。栽培用容器１００´ａ１〜１００´ａ３における養液ＬＱ´の液面よりも上方には、空気層が、形成されることとなる。なお、図１６（Ｂ）において、栽培用容器１００´ａ２、および、１００´ａ３は、それぞれ、養液用トレイ１１２および移動テーブル１１４が、所定量、下方に向けて下降され、位置調整された状態を示す。
【０１６６】
養液用トレイ１１２および移動テーブル１１４が下降される場合、分岐排出管４２Ｄ１〜４２Ｄ４の長さが、短くなるように調整される。即ち、分岐排出管４２Ｄ１〜４２Ｄ４の長さが、植物１５Ｐａ１〜１５Ｐａ３の成長に応じて短くなるように、例えば、柔軟性のあるホース（分岐排出管）がとぐろ巻き状態になり栽培用容器のスペースを確保できる。
【０１６７】
従って、植物は成長していくにつれ根部の先端部は下方に伸びていくので養液用トレイ１１２の位置を調整することにより、養液の水深が維持されながら、水位の位置だけを根の成長に合わせて移動させることができる。これを、植物の成長を観察しながら調整することにより、根菜類の根の肥大をさせながら生育をさせることが可能となる。各栽培用容器毎に成長にバラツキがあっても、植物の成長度に応じたケアが可能である。また、養液の循環、供給、植物の栽培に於いて、ある程度の密閉性を保持しているため特に感染ルートとなる地下系の根、養液は、植物間で遮断されている。これにより、隣の植物が病気に感染しても伝染し難い環境になっている。
【符号の説明】
【０１６８】
４ＤＶ１，４ＤＶ２、４ＤＶ３    流量制御弁（排水側）
１８ＤＶ１、１８ＤＶ２，１８ＤＶ３、１８ＤＶ４    流量制御弁（排水側）
１８ＵＶ１、１８ＵＶ２，１８ＵＶ３、１８ＵＶ４    流量制御弁（供給側）
６Ｕ１、６Ｕ２，６Ｕ３、    分岐供給管
２０Ｕ１、２０Ｕ２、２０Ｕ３、２０Ｕ４、
４２Ｕ１、４２Ｕ２、４２Ｕ３、４２Ｕ４、
６２Ｕ１、６２Ｕ２、６２Ｕ３、６２Ｕ４  ：分岐供給管
６Ｄ１、６Ｄ２，６Ｄ３、    分岐排出管
２０Ｄ１、２０Ｄ２、２０Ｄ３，２０Ｄ４、
４２Ｄ１、４２Ｄ２、４２Ｄ３、４２Ｄ４、４２ＤＵ、 
６２Ｄ１、６２Ｄ２、６２Ｄ３、６２Ｄ４    分岐排出管
８ａ１、８ａ２、８ａ３    栽培用容器
１０ａ１、１０ａ２、１０ａ３、１０ａ４、１０ａｎ
４０ａ１、４０ａ２、４０ａ３、４０ａ４、４０ａｎ    
５０ａ１、５０ａ２、５０ａ３、５０ａ４、５０ａｎ
６０ａ１、６０ａ２、６０ａ３、６０ａ４、６０ａｎ
７０ａ１、７０ａ２、７０ａ３、７０ａ４、７０ａｎ
８０ａ１、８０ａ２、８０ａ３、８０ａ４、８０ａｎ、９０ａ１、９０ａ２、９０ａ３、９０ａ４、９０ａｎ、１００ａ１、１００ａ２、１００ａ３、１００ａ４、１００ａｎ    栽培用容器
１０Ｆａ、１０Ｆａ    フック部
１２Ｐａ１，１２Ｐａ２，１２Ｐａ３，１２Ｐａ４、１２Ｐａｎ、
１３Ｐａ１，１３Ｐａ２，１３Ｐａ３，１３Ｐａ４、１３Ｐａｎ、１５Ｐａ１、１５Ｐａ２，１５Ｐａ３    植物
１４    分配供給路
１６    排出路
２０Ｕ１、２０Ｕ２，２０Ｕ３，２０Ｕ４、    
５２Ｕ１、５２Ｕ２，５２Ｕ３，５２Ｕ４    分岐供給管
２０Ｄ１、２０Ｕ２，２０Ｕ３，２０Ｄ４、
５２Ｄ１、５２Ｕ２，５２Ｕ３，５２Ｄ４    分岐排出管
２２    廃液処理装置
２２ａ    フィルター部
２２ｂ    成分抽出部
２２ｃ    除菌処理部
２２ｄ    酸素混合部
２４    回収管
２６    メイン混合タンク
２８    植物固定用ストッパ
２８ａ    上部開口部
２８ｂ    下部開口部
２８Ｂ    複数のシート部材
２８ＢＨ    貫通する孔
３０    供給ポンプ
３２    酸素混合装置
３４    サブ混合タンク
３６    養液タンク
３８    用水供給源
４０Ｆａ、４０Ｆｂ、６０Ｆａ、６０Ｆｂ、７０Ｆａ、７０Ｆｂ、８０Ｆａ、８０Ｆｂ    フック部
４０Ｊａ、４０Ｊｂ、７０Ｊａ、７０Ｊｂ    継手
４４    第１タンク
４６    第２タンク
４８    混合用制御弁
５４    テーブル（昇降リフト）
６１    水位調整用管
６４    保温壁（上部）
６６    保温壁（下部）
８０ＵＨ、８０ＤＨ    接続パイプ
１００    制御ユニット
１０２    検出出力入力部
１０４    データ記憶部
１０６    濃度調整制御部
１０８    ＥＣセンサ
１１０ａ１    溶存酸素濃度検知器（上流）
１１０ａ２    溶存酸素濃度検知器（下部）
１１０ａ３    溶存酸素濃度検知器（下部）
１１０ａ４    溶存酸素濃度検知器（下部）
１１０ａ５    溶存酸素濃度検知器（下部）
１１０ａＴ    合算溶存酸素濃度検知器（下部）
【図１】
2017029144.tif 000003
【図２】
2017029144.tif 000004
【図３】
2017029144.tif 000005
【図４】
2017029144.tif 000006
【図５】
2017029144.tif 000007
【図６】
2017029144.tif 000008
【図７】
2017029144.tif 000009
【図８】
2017029144.tif 000010
【図９】
2017029144.tif 000011
【図１０】
2017029144.tif 000012
【図１１】
2017029144.tif 000013
【図１２】
2017029144.tif 000014
【図１３】
2017029144.tif 000015
【図１４】
2017029144.tif 000016
【図１５】
2017029144.tif 000017
【図１６】
2017029144.tif 000018